(57)【特許請求の範囲】
【請求項１】
方法において、
ロバストヘッダ圧縮（ＲｏＨＣ）で圧縮されたヘッダを持つパケットを、無線ベアラを通して受信することと、
前記ＲｏＨＣ圧縮されたヘッダに関連するＲｏＨＣコンテキストを決定することと、
前記ＲｏＨＣコンテキストに少なくとも部分的に基づいて、前記ＲｏＨＣ圧縮されたヘッダを伸張することとを含み、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとを圧縮または伸張するためのＲｏＨＣプロファイルに対応している方法。
【請求項２】
前記ＲｏＨＣコンテキストを決定することは、前記パケットのＲｏＨＣヘッダからＲｏＨＣコンテキスト識別子を取得することを含む請求項１記載の方法。
【請求項３】
前記パケットをルーティングするための識別子をトンネリングプロトコルヘッダから取得することをさらに含み、前記パケットまたは前記ＲｏＨＣ圧縮されたヘッダは、前記トンネリングプロトコルヘッダ中にカプセル化されている請求項１記載の方法。
【請求項４】
前記ＲｏＨＣコンテキストを決定することは、前記識別子に少なくとも部分的に基づいて、前記ＲｏＨＣコンテキストを決定することを含む請求項３記載の方法。
【請求項５】
前記トンネリングプロトコルヘッダは、ＧＴＰ−Ｕヘッダであり、前記識別子は、トンネルエンドポイント識別子（ＴＥＩＤ）である請求項４記載の方法。
【請求項６】
エボルブドノードＢ（ｅＮＢ）と前記無線ベアラを確立する間に、前記ＲｏＨＣプロファイルを通信することをさらに含む請求項１記載の方法。
【請求項７】
ワイヤレス通信装置において、
ロバストヘッダ圧縮（ＲｏＨＣ）で圧縮されたヘッダを持つパケットを、無線ベアラを通して取得するようにと、
前記ＲｏＨＣ圧縮されたヘッダの圧縮のために使用されたＲｏＨＣコンテキストを見分けるようにと、
前記ＲｏＨＣコンテキストにしたがって、前記ＲｏＨＣ圧縮されたヘッダを伸張するように構成されている少なくとも１つのプロセッサと、
前記少なくとも１つのプロセッサに結合されているメモリとを具備し、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられているワイヤレス通信装置。
【請求項８】
前記少なくとも１つのプロセッサは、前記ＲｏＨＣ圧縮されたヘッダを持つパケットのヘッダ中のＲｏＨＣコンテキスト識別子に少なくとも部分的に基づいて、前記ＲｏＨＣコンテキストを見分ける請求項７記載のワイヤレス通信装置。
【請求項９】
前記少なくとも１つのプロセッサは、前記パケットまたは前記ＲｏＨＣ圧縮されたヘッダがその内にカプセル化されているトンネリングプロトコルヘッダから、対応するユーザ機器（ＵＥ）ベアラに関連する少なくとも一部分を有する識別子を抽出するようにさらに構成されている請求項７記載のワイヤレス通信装置。
【請求項１０】
前記少なくとも１つのプロセッサは、前記識別子に少なくとも部分的に基づいて、前記ＲｏＨＣコンテキストを見分ける請求項９記載のワイヤレス通信装置。
【請求項１１】
前記トンネリングプロトコルヘッダは、ＧＴＰ−Ｕであり、前記識別子は、トンネルエンドポイント識別子（ＴＥＩＤ）である請求項１０記載のワイヤレス通信装置。
【請求項１２】
前記少なくとも１つのプロセッサは、前記無線ベアラの確立の際に、エボルブドノードＢ（ｅＮＢ）と前記ＲｏＨＣプロファイルを通信するようにさらに構成されている請求項７記載のワイヤレス通信装置。
【請求項１３】
装置において、
ロバストヘッダ圧縮（ＲｏＨＣ）で圧縮されたヘッダを持つパケットを、無線ベアラを通して受信する手段と、
複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられている、前記ＲｏＨＣ圧縮されたヘッダに対するＲｏＨＣコンテキストを決定する手段と、
前記ＲｏＨＣコンテキストと、前記ＲｏＨＣプロファイルとに少なくとも部分的に基づいて、前記ＲｏＨＣ圧縮されたヘッダを伸張する手段とを具備する装置。
【請求項１４】
前記ＲｏＨＣコンテキストを決定する手段は、前記パケットのＲｏＨＣヘッダ中のＲｏＨＣコンテキスト識別子に少なくとも部分的に基づいて、前記ＲｏＨＣコンテキストを決定する請求項１３記載の装置。
【請求項１５】
エボルブドノードＢ（ｅＮＢ）と前記無線ベアラを確立する手段と、
前記無線ベアラに関係付けられている前記ＲｏＨＣプロファイルを指定する手段とをさらに具備する請求項１３記載の装置。
【請求項１６】
コンピュータ読取可能記憶媒体において、
少なくとも１つのコンピュータに、ロバストヘッダ圧縮（ＲｏＨＣ）で圧縮されたヘッダを持つパケットを、無線ベアラを通して受信させるためのコードと、
前記少なくとも１つのコンピュータに、前記ＲｏＨＣ圧縮されたヘッダに対するＲｏＨＣコンテキストを決定させるためのコードと、
前記少なくとも１つのコンピュータに、前記ＲｏＨＣコンテキストに少なくとも部分的に基づいて、前記ＲｏＨＣ圧縮されたヘッダを伸張させるためのコードとを含み、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられているコンピュータ読取可能記憶媒体。
【請求項１７】
前記少なくとも１つのコンピュータに、前記ＲｏＨＣコンテキストを決定させるためのコードは、前記パケットのＲｏＨＣヘッダからＲｏＨＣコンテキスト識別子を取得する請求項１６記載のコンピュータ読取可能記憶媒体。
【請求項１８】
前記少なくとも１つのコンピュータに、トンネリングプロトコルヘッダから識別子を取得させるためのコードをさらに含み、前記パケットは、トンネリングプロトコルヘッダ中にカプセル化されている請求項１６記載のコンピュータ読取可能記憶媒体。
【請求項１９】
前記少なくとも１つのコンピュータに、前記ＲｏＨＣコンテキストを決定させるためのコードは、前記識別子に少なくとも部分的に基づいて、前記ＲｏＨＣコンテキストを決定する請求項１８記載のコンピュータ読取可能記憶媒体。
【請求項２０】
前記トンネリングプロトコルヘッダは、ＧＴＰ−Ｕヘッダであり、前記識別子は、トンネルエンドポイント識別子（ＴＥＩＤ）である請求項１９記載のコンピュータ読取可能記憶媒体。
【請求項２１】
前記少なくとも１つのコンピュータに、前記無線ベアラの確立の際に、エボルブドノードＢ（ｅＮＢ）と前記ＲｏＨＣプロファイルを通信させるためのコードをさらに含む請求項１６記載のコンピュータ読取可能記憶媒体。
【請求項２２】
装置において、
ロバストヘッダ圧縮（ＲｏＨＣ）で圧縮されたヘッダを持つパケットを、無線ベアラを通して受信するベアラ通信コンポーネントと、
前記ＲｏＨＣ圧縮されたヘッダに対するＲｏＨＣコンテキストを見分けるＲｏＨＣコンテキスト決定コンポーネントと、
前記ＲｏＨＣコンテキストに少なくとも部分的に基づいて、前記ＲｏＨＣ圧縮されたヘッダを伸張するＲｏＨＣ伸張コンポーネントとを具備し、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられている装置。
【請求項２３】
前記ＲｏＨＣコンテキスト決定コンポーネントは、前記パケットのＲｏＨＣヘッダ中のＲｏＨＣコンテキスト識別子に少なくとも部分的に基づいて、前記ＲｏＨＣコンテキストを見分ける請求項２２記載の装置。
【請求項２４】
エボルブドノードＢ（ｅＮＢ）との無線ベアラを初期化するベアラ確立要求コンポーネントと、
前記無線ベアラに関係付けられている前記ＲｏＨＣプロファイルを指定するＲｏＨＣプロファイル関係付けコンポーネントとをさらに具備する請求項２２記載の装置。
【請求項２５】
方法において、
無線ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルにしたがって、圧縮することと、
前記パケット中の前記ＲｏＨＣコンテキストに関連する識別子を示すことと、
異なる無線ベアラを通して前記パケットを送信することとを含む方法。
【請求項２６】
トンネリングプロトコル中に前記パケットをカプセル化することをさらに含み、前記識別子を示すことは、前記トンネリングプロトコルのヘッダ中の前記識別子を指定することを含む請求項２５記載の方法。
【請求項２７】
前記トンネリングプロトコルは、ＧＴＰ−Ｕであり、前記識別子は、トンネルエンドポイント識別子（ＴＥＩＤ）である請求項２６記載の方法。
【請求項２８】
前記パケットに関連するエボルブドパケットシステム（ＥＰＳ）ベアラに少なくとも部分的に基づいて、前記パケットに対する前記ＲｏＨＣコンテキストを選択することをさらに含む請求項２５記載の方法。
【請求項２９】
ワイヤレス通信装置において、
無線ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルにしたがって、圧縮するようにと、
前記パケット中の前記ＲｏＨＣコンテキストに関連する識別子を指定するようにと、
異なる無線ベアラを通して前記パケットを通信するように構成されている少なくとも１つのプロセッサと、
前記少なくとも１つのプロセッサに結合されているメモリとを具備するワイヤレス通信装置。
【請求項３０】
前記少なくとも１つのプロセッサは、トンネリングプロトコル中に前記パケットをカプセル化するようにさらに構成され、前記識別子を指定することは、前記トンネリングプロトコルのヘッダ中の前記識別子を指定することを含む請求項２９記載のワイヤレス通信装置。
【請求項３１】
前記トンネリングプロトコルは、ＧＴＰ−Ｕであり、前記識別子は、トンネルエンドポイント識別子（ＴＥＩＤ）である請求項３０記載のワイヤレス通信装置。
【請求項３２】
前記少なくとも１つのプロセッサは、前記パケットに関連するエボルブドパケットシステム（ＥＰＳ）ベアラに少なくとも部分的に基づいて、前記パケットに対する前記ＲｏＨＣコンテキストを選択するようにさらに構成されている請求項２９記載のワイヤレス通信装置。
【請求項３３】
装置において、
ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルに少なくとも部分的に基づいて、圧縮する手段と、
前記パケット中の前記ＲｏＨＣコンテキストに関連する識別子を示す手段と、
異なる無線ベアラを通して前記パケットを送信する手段とを具備する装置。
【請求項３４】
トンネリングプロトコル中に前記パケットをカプセル化する手段をさらに具備し、前記識別子を示す手段は、前記トンネリングプロトコルのヘッダ中の前記識別子を指定する請求項３３記載の装置。
【請求項３５】
前記パケットに関連するエボルブドパケットシステム（ＥＰＳ）ベアラに少なくとも部分的に基づいて、前記パケットに対する前記ＲｏＨＣコンテキストを選択する手段をさらに具備する請求項３３記載の装置。
【請求項３６】
コンピュータ読取可能記憶媒体において、
少なくとも１つのコンピュータに、無線ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルにしたがって、圧縮させるためのコードと、
前記少なくとも１つのコンピュータに、前記パケット中の前記ＲｏＨＣコンテキストに関連する識別子を指定させるためのコードと、
前記少なくとも１つのコンピュータに、異なる無線ベアラを通して前記パケットを通信させるためのコードとを含むコンピュータ読取可能記憶媒体。
【請求項３７】
前記少なくとも１つのコンピュータに、トンネリングプロトコル中に前記パケットをカプセル化させるためのコードをさらに含み、前記少なくとも１つのコンピュータに、前記識別子を指定させるためのコードは、前記トンネリングプロトコルのヘッダ中の前記識別子を指定する請求項３６記載のコンピュータ読取可能記憶媒体。
【請求項３８】
前記トンネリングプロトコルは、ＧＴＰ−Ｕであり、前記識別子は、トンネルエンドポイント識別子（ＴＥＩＤ）である請求項３７記載のコンピュータ読取可能記憶媒体。
【請求項３９】
前記少なくとも１つのコンピュータに、前記パケットに関連するエボルブドパケットシステム（ＥＰＳ）ベアラに少なくとも部分的に基づいて、前記パケットに対する前記ＲｏＨＣコンテキストを選択させるためのコードをさらに含む請求項３６記載のコンピュータ読取可能記憶媒体。
【請求項４０】
装置において、
ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルに少なくとも部分的に基づいて、圧縮するＲｏＨＣ圧縮コンポーネントと、
前記パケット中の前記ＲｏＨＣコンテキストに関連する識別子を指定するＲｏＨＣコンテキスト表示コンポーネントと、
異なる無線ベアラを通して前記パケットを送信するベアラ通信コンポーネントとを具備する装置。
【請求項４１】
トンネリングプロトコルに前記パケットを関係付けるパケットカプセル化コンポーネントをさらに具備し、前記ＲｏＨＣコンテキスト表示コンポーネントは、前記トンネリングプロトコルのヘッダ中の前記識別子を指定する請求項４０記載の装置。
【請求項４２】
前記パケットに関連するエボルブドパケットシステム（ＥＰＳ）ベアラに少なくとも部分的に基づいて、前記パケットに前記ＲｏＨＣコンテキストを関係付けるＲｏＨＣコンテキスト選択コンポーネントをさらに具備する請求項４０記載の装置。
【発明の詳細な説明】
【米国特許法第１１９条の下での優先権の主張】
【０００１】
本特許出願は、“ロングタームエボリューションシステムのための中継器ノード処理”と題し、２００９年４月１０日に出願され、その譲受人に譲渡され、ここで、参照によりここに明示的に組み込まれている、仮出願番号第６１／１６８，５２２号に対する優先権を主張する。
【背景】
【０００２】
分野
以下の説明は、一般的にワイヤレス通信に関し、さらに詳細には、複数のアクセスポイント間でのデータパケットのルーティングに関する。
【０００３】
背景
ワイヤレス通信システムは、例えば、音声、データ等のようなさまざまなタイプの通信コンテンツを提供するように、幅広く展開されている。典型的なワイヤレス通信システムは、利用可能なシステムリソース（例えば、帯域幅、送信電力、．．．）を共有することにより、複数のユーザとの通信をサポートすることが可能である多元接続システムであってもよい。このような多元接続システムの例には、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、これらに類するものが含まれていてもよい。付加的に、システムは、第３世代パートナーシッププロジェクト（３ＧＰＰ）、３ＧＰＰロングタームエボリューション（ＬＴＥ）、ウルトラモバイルブロードバンド（ＵＭＢ）のような仕様、および／または、エボリューションデータオプティマイズド（ＥＶ−ＤＯ）のようなマルチ搬送波ワイヤレス仕様、１つ以上のこれらの改訂に準拠することができる。
【０００４】
一般的に、ワイヤレス多元接続通信システムは、複数の移動体デバイスに対する通信を同時にサポートすることができる。各移動体デバイスは、フォワードリンク上およびリバースリンク上の送信を通して、１つ以上のアクセスポイント（例えば、基地局）と通信してもよい。フォワードリンク（または、ダウンリンク）は、アクセスポイントから移動体デバイスへの通信リンクのことを指し、リバースリンク（または、アップリンク）は、移動体デバイスからアクセスポイントへの通信リンクのことを指す。さらに、移動体デバイスとアクセスポイントとの間の通信は、単一入力単一出力（ＳＩＳＯ）システム、複数入力単一出力（ＭＩＳＯ）システム、複数入力複数出力（ＭＩＭＯ）システム等を通して確立してもよい。しかしながら、アクセスポイントは、地理的なカバレッジエリアとともに、リソースが制限されることがあり、これにより、カバレッジの端近くにあるデバイスおよび／または高いトラフィックのエリア中のデバイスが、アクセスポイントからの質の低下した通信を経験することがある。
【０００５】
移動体デバイスとアクセスポイントとの間の通信を促進することにより、ネットワーク容量とカバレッジエリアとを拡張するために、中継器ノードを提供することがある。例えば、中継器ノードは、ドナーアクセスポイントとバックホールリンクを確立することができ、ドナーアクセスポイントは、多数の中継器ノードにアクセスを提供することができ、中継器ノードは、１つ以上の移動体デバイスまたは付加的な中継器ノードとアクセスリンクを確立することができる。バックエンドコアネットワークコンポーネントに対する修正を軽減するために、Ｓ１−Ｕのような、バックエンドネットワークコンポーネントとの通信インターフェースは、ドナーアクセスポイントにおいて終端することがある。したがって、ドナーアクセスポイントは、バックエンドネットワークコンポーネントに対する通常のアクセスポイントとして見える。この目的のために、ドナーアクセスポイントは、移動体デバイスに通信するために、バックエンドネットワークコンポーネントから中継器ノードにパケットをルーティングすることができる。
【概要】
【０００６】
以下のものは、このような態様の基本的な理解を提供するために、１つ以上の態様の簡略化した概要を提示する。この概要は、すべての考えられる態様の広範囲にわたる概略ではなく、すべての態様のキーエレメントまたは重要なエレメントを識別すること、あるいは、任意の態様またはすべての態様の範囲を詳細に述べることのどちらも意図していない。この唯一の目的は、後に提示するさらに詳細な説明に対する前置きとして、１つ以上の態様のうちのいくつかの概念を簡略化した形態で提示することである。
【０００７】
１つ以上の態様およびこれらの対応する開示にしたがうと、中継器ノード間での効率的な通信を提供するためのプロトコルヘッダの圧縮を促進することに関連して、さまざまな態様を説明する。特に、セル中継器の単一の専用無線ベアラを通して、複数のエボルブドパケットシステム（ＥＰＳ）ベアラに対するロバストヘッダ圧縮（ＲｏＨＣ）コンテキストをサポートすることができる。１つの例では、単一のロバストヘッダ圧縮器を１つの通信ノードにおいて提供することができ、単一のロバストヘッダ伸張器を中継器通信中のもう一方のノードにおいて提供することができる。この例では、割り当てられたコンテキスト識別子にしたがって、所定のＥＰＳベアラに対する複数のＲｏＨＣコンテキストを区別することができる。別の例では、各ＲｏＨＣコンテキストに対して、通信ノードにおいて、複数のロバストヘッダ圧縮器／伸張器を提供することができ、トンネルエンドポイント識別子（ＴＥＩＤ）、あるいは、ＥＰＳベアラ（または、対応するＵＥベアラ）に関連する類似する識別子を利用して、ノードにおいてＥＰＳベアラを区別することができる。加えて、ＲｏＨＣコンテキスト内のヘッダ圧縮を促進するために、アクセスポイントは、関係付けられているＲｏＨＣプロファイルにしたがって、異なるアクセスポイントに通信するための、受信したパケット中の１つ以上のプロトコルヘッダを圧縮することができる。
【０００８】
関連する態様にしたがうと、ＲｏＨＣ圧縮されたヘッダを持つパケットを、無線ベアラを通して受信することと、ＲｏＨＣ圧縮されたヘッダに関連するＲｏＨＣコンテキストを決定することとを含む方法が提供されており、ここで、ＲｏＨＣコンテキストは、複数のＩＰヘッダと、少なくとも１つのＧＴＰヘッダとを圧縮または伸張するためのＲｏＨＣプロファイルに対応している。方法はさらに、ＲｏＨＣコンテキストに少なくとも部分的に基づいて、ＲｏＨＣ圧縮されたヘッダを伸張することとを含んでいる。
【０００９】
別の態様は、ワイヤレス通信装置に関連している。ワイヤレス通信装置は、ＲｏＨＣ圧縮されたヘッダを持つパケットを、無線ベアラを通して取得するようにと、ＲｏＨＣ圧縮されたヘッダの圧縮のために使用されたＲｏＨＣコンテキストを見分けるように構成されている少なくとも１つのプロセッサを具備することができ、ここで、ＲｏＨＣコンテキストは、複数のＩＰヘッダと、少なくともＧＴＰヘッダとに関連するＲｏＨＣプロファイルに関係付けられている。少なくとも１つのプロセッサは、ＲｏＨＣコンテキストにしたがって、ＲｏＨＣ圧縮されたヘッダを伸張するようにさらに構成されている。ワイヤレス通信装置はまた、少なくとも１つのプロセッサに結合されているメモリを具備する。
【００１０】
さらに別の態様は、装置に関連している。装置は、ＲｏＨＣ圧縮されたヘッダを持つパケットを、無線ベアラを通して受信する手段と、複数のＩＰヘッダと、少なくとも１つのＧＴＰヘッダとに関連するＲｏＨＣプロファイルに関係付けられている、ＲｏＨＣ圧縮されたヘッダに対するＲｏＨＣコンテキストを決定する手段とを具備する。装置はまた、ＲｏＨＣコンテキストと、ＲｏＨＣプロファイルとに少なくとも部分的に基づいて、ＲｏＨＣ圧縮されたヘッダを伸張する手段を具備する。
【００１１】
さらに別の態様は、コンピュータプログラムプロダクトに関連している。コンピュータプログラムプロダクトは、少なくとも１つのコンピュータに、ＲｏＨＣ圧縮されたヘッダを持つパケットを、無線ベアラを通して受信させるためのコードと、少なくとも１つのコンピュータに、ＲｏＨＣ圧縮されたヘッダに対するＲｏＨＣコンテキストを決定させるためのコードとを含むコンピュータ読取可能媒体を有することができ、ここで、ＲｏＨＣコンテキストは、複数のＩＰヘッダと、少なくとも１つのＧＴＰヘッダとに関連するＲｏＨＣプロファイルに関係付けられている。コンピュータ読取可能媒体はまた、少なくとも１つのコンピュータに、ＲｏＨＣコンテキストに少なくとも部分的に基づいて、ＲｏＨＣ圧縮されたヘッダを伸張させるためのコードとを含むことができる。
【００１２】
さらに、付加的な態様は、ＲｏＨＣ圧縮されたヘッダを持つパケットを、無線ベアラを通して受信するベアラ通信コンポーネントと、ＲｏＨＣ圧縮されたヘッダに対するＲｏＨＣコンテキストを見分けるＲｏＨＣコンテキスト決定コンポーネントとを具備する装置に関連しており、ここで、ＲｏＨＣコンテキストは、複数のＩＰヘッダと、少なくとも１つのＧＴＰヘッダとに関連するＲｏＨＣプロファイルに関係付けられている。装置は、ＲｏＨＣコンテキストに少なくとも部分的に基づいて、ＲｏＨＣ圧縮されたヘッダを伸張するＲｏＨＣ伸張コンポーネントをさらに具備することができる。
【００１３】
別の態様にしたがうと、無線ベアラを通して受信したパケットの、複数のＩＰヘッダと、少なくとも１つのＧＴＰヘッダとを、ＲｏＨＣコンテキストに関連するＲｏＨＣプロファイルにしたがって、圧縮することを含む方法が提供されている。方法はさらに、パケット中のＲｏＨＣコンテキストに関連する識別子を示すことと、異なる無線ベアラを通してパケットを送信することとを含む。
【００１４】
別の態様は、ワイヤレス通信装置に関連している。ワイヤレス通信装置は、無線ベアラを通して受信したパケットの、複数のＩＰヘッダと、少なくとも１つのＧＴＰヘッダとを、ＲｏＨＣコンテキストに関連するＲｏＨＣプロファイルにしたがって、圧縮するようにと、パケット中のＲｏＨＣコンテキストに関連する識別子を指定するように構成されている少なくとも１つのプロセッサを具備することができる。少なくとも１つのプロセッサは、異なる無線ベアラを通してパケットを通信するようにさらに構成されている。ワイヤレス通信装置はまた、少なくとも１つのプロセッサに結合されているメモリとを具備する。
【００１５】
さらに別の態様は、装置に関連している。装置は、ベアラを通して受信したパケットの、複数のＩＰヘッダと、少なくとも１つのＧＴＰヘッダとを、ＲｏＨＣコンテキストに関連するＲｏＨＣプロファイルに少なくとも部分的に基づいて、圧縮する手段を具備する。装置はまた、パケット中のＲｏＨＣコンテキストに関連する識別子を示す手段と、異なる無線ベアラを通してパケットを送信する手段とを具備する。
【００１６】
さらに別の態様は、コンピュータプログラムプロダクトに関連している。コンピュータプログラムプロダクトは、少なくとも１つのコンピュータに、無線ベアラを通して受信したパケットの、複数のＩＰヘッダと、少なくとも１つのＧＴＰヘッダとを、ＲｏＨＣコンテキストに関連するＲｏＨＣプロファイルにしたがって、圧縮させるためのコードを含むコンピュータ読取可能媒体を有することができる。コンピュータ読取可能媒体はまた、少なくとも１つのコンピュータに、パケット中のＲｏＨＣコンテキストに関連する識別子を指定させるためのコードと、少なくとも１つのコンピュータに、異なる無線ベアラを通してパケットを通信させるためのコードとを含むことができる。
【００１７】
さらに、付加的な態様は、ベアラを通して受信したパケットの、複数のＩＰヘッダと、少なくとも１つのＧＴＰヘッダとを、ＲｏＨＣコンテキストに関連するＲｏＨＣプロファイルに少なくとも部分的に基づいて、圧縮するＲｏＨＣ圧縮コンポーネントと、パケット中のＲｏＨＣコンテキストに関連する識別子を指定するＲｏＨＣコンテキスト表示コンポーネントとを具備する装置に関連している。装置は、異なる無線ベアラを通してパケットを送信するベアラ通信コンポーネントをさらに具備することができる。
【００１８】
先の目的および関連する目的を達成するために、１つ以上の態様は、後に完全に説明する特徴、および、特許請求の範囲中で特に指摘する特徴を含んでいる。以下の説明および添付図面により、１つ以上の態様のある例示的な特徴を詳細に述べる。しかしながら、これらの特徴は、さまざまな態様の原理を用いることができるさまざまな方法のうちのいくつかを示しており、この説明は、このようなすべての態様およびそれらの均等物を含むことを意図している。
【図面の簡単な説明】
【００１９】
【図１】図１は、ワイヤレスネットワークに対して中継器を提供することを促進する例示的なワイヤレス通信システムの例である。
【図２】図２は、ロバストヘッダ圧縮（ＲｏＨＣ）を使用する、インターネットプロトコル（ＩＰ）中継器通信に対するヘッダの圧縮を促進する例示的なワイヤレス通信システムの例である。
【図３】図３は、単一の無線ベアラを通して、複数のＥＰＳベアラに対するＲｏＨＣ圧縮されたヘッダを持つパケットを通信する例示的なワイヤレス通信システムの例である。
【図４】図４は、ダウンストリームベアラ識別子に対応するＲｏＨＣコンテキストを使用してのヘッダの圧縮を促進する例示的なワイヤレス通信システムの例である。
【図５】図５は、ダウンストリームベアラ識別子に対応するＲｏＨＣコンテキストにしたがって圧縮されたＲｏＨＣヘッダを持つパケットを通信する例示的なワイヤレス通信システムの例である。
【図６】図６は、後続するルーティングのために、ＲｏＨＣ圧縮されたパケットをカプセル化する例示的なワイヤレス通信システムの例である。
【図７】図７は、ＩＰ中継器を利用して、ワイヤレスネットワークへのアクセスを提供する例示的なワイヤレス通信システムの例である。
【図８】図８は、データプレーン通信に対してのＩＰ中継器機能性の提供を促進する例示的なプロトコルスタックの例である。
【図９】図９は、決定したＲｏＨＣコンテキストに基づいて、ＲｏＨＣ圧縮されたヘッダを伸張する例示的な方法論の例である。
【図１０】図１０は、ＲｏＨＣコンテキストを使用して、１つ以上のパケットヘッダを圧縮する例示的な方法論の例である。
【図１１】図１１は、後続するルーティングのためにパケットをカプセル化する例示的な方法論の例である。
【図１２】図１２は、受信したパケットに対するカプセル化を決定する例示的な方法論の例である。
【図１３】図１３は、ここで述べるさまざまな態様にしたがった、ワイヤレス通信システムの例である。
【図１４】図１４は、ここで説明するさまざまなシステムおよび方法に関連して用いることができる例示的なワイヤレスネットワーク環境の例である。
【図１５】図１５は、決定したＲｏＨＣコンテキストに基づいて、ＲｏＨＣ圧縮されたヘッダの伸張を促進する例示的なシステムの例である。
【図１６】図１６は、ＲｏＨＣコンテキストにしたがって、ヘッダの圧縮を促進する例示的なシステムの例である。
【詳細な説明】
【００２０】
図面を参照して、ここでさまざまな態様を説明する。以下の説明では、説明の目的のために、１つ以上の態様の完全な理解を提供するために、多くの特定の詳細を述べる。しかしながら、これらの特定の詳細なしに、このような態様を実施できることは明らかである。
【００２１】
本出願で使用しているような、用語“コンポーネント”、“モジュール”、“システム”、および、これらに類するものは、これらに限定されないが、ハードウェアや、ファームウェアや、ハードウェアとソフトウェアとの組み合わせや、ソフトウェアや、または、実行中のソフトウェアのような、コンピュータ関連エンティティを含むことを意図している。例えば、コンポーネントは、これらに限定されないが、プロセッサ上で動作しているプロセス、プロセッサ、オブジェクト、実行ファイル、実行のスレッド、プログラム、および／または、コンピュータであってもよい。例として、コンピューティングデバイス上で動作しているアプリケーションとコンピューティングデバイスの双方をコンポーネントとすることができる。１つ以上のコンポーネントが、プロセスおよび／または実行のスレッド内に存在することがあり、コンポーネントは、１つのコンピュータ上に局所化されていてもよく、および／または、２つ以上のコンピュータの間に分散されていてもよい。加えて、それらの上にさまざまなデータ構造を記憶させているさまざまなコンピュータ読取可能媒体から、これらのコンポーネントは実行することができる。コンポーネントは、ローカルシステム中の、分散システム中の別のコンポーネントと対話する、および／または、インターネットのようなネットワークを通して、信号によって他のシステムと対話する、１つのコンポーネントからのデータのような、１つ以上のデータパケットを有する信号にしたがうような、ローカルおよび／または遠隔のプロセスによって通信してもよい。
【００２２】
さらに、端末に関連して、ここでさまざまな態様を説明する。端末は、ワイヤード端末またはワイヤレス端末とすることができる。端末はまた、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、または、ユーザ機器（ＵＥ）と呼ぶこともできる。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続されている他の処理デバイスであってもよい。さらに、基地局に関連して、ここでさまざまな態様を説明する。ワイヤレス端末と通信するために基地局を利用してもよく、基地局は、アクセスポイント、ノードＢ、エボルブドノードＢ（ｅＮＢ）、または、他の何らかの専門用語として呼ぶこともある。
【００２３】
さらに、“または”という文言は、排他的な“または”というよりむしろ、包含的な“または”を意味することを意図している。すなわち、特定の明記がない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによって満たされる：ＸがＡを用いる；ＸがＢを用いる；または、ＸがＡおよびＢの双方とも用いる。さらに、本出願および添付した特許請求の範囲で使用している冠詞“ａ”および“ａｎ”は、特定の明記がない限り、または、単数形を意図する文脈から明らかでない限り、一般的に、“１つ以上”を意味すると解釈すべきである。
【００２４】
ここで説明する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよい。“システム”および“ネットワーク”という文言は、区別なく使用されることが多い。ＣＤＭＡシステムは、ユニバーサル地上無線アクセス（ＵＴＲＡ）、ｃｄｍａ２０００等のような無線技術を実現してもよい。ＵＴＲＡは、ワイドバンドＣＤＭＡ（Ｗ−ＣＤＭＡ）と、ＣＤＭＡの他の変形とを含んでいる。さらに、ｃｄｍａ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ（登録商標））のような無線技術を実現してもよい。ＯＦＤＭＡシステムは、エボルブドＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを用いて、アップリンク上ではＳＣ−ＦＤＭＡを用いるＥ−ＵＴＲＡを使用するＵＭＴＳのリリースである。ＵＴＲＡと、Ｅ−ＵＴＲＡと、ＵＭＴＳと、ＬＴＥと、ＧＳＭとは、“第三世代パートナーシッププロジェクト”（３ＧＰＰ）という名の組織による文書中に記述されている。さらに、ｃｄｍａ２０００とＵＭＢは、“第三世代パートナーシッププロジェクト２”（３ＧＰＰ２）という名の組織による文書中に記述されている。さらに、このようなワイヤレス通信システムは、付加的に、対でないライセンスされていないスペクトル、８０２．ｘｘワイヤレスＬＡＮ、ブルートゥース（登録商標）、および、他の何らかの短距離または長距離のワイヤレス通信技術を使用することが多い、ピア・ツー・ピア（例えば、移動体対移動体）アドホックネットワークシステムを含んでいてもよい。
【００２５】
多数のデバイス、コンポーネント、モジュール、および、これらに類するものを含んでいてもよいシステムの観点から、さまざまな態様または特徴を提示するだろう。さまざまなシステムが、付加的なデバイス、コンポーネント、モジュール等を含んでいてもよいことを、および／または、図面に関連して論じた、デバイス、コンポーネント、モジュール等のうちのすべてを含んでいなくてもよいことを理解し、正しく認識すべきである。これらのアプローチの組み合わせもまた使用してもよい。
【００２６】
図１を参照すると、ワイヤレスネットワーク中に中継器機能性を提供することを促進するワイヤレス通信システム１００が示されている。システム１００は、中継器ｅＮＢ１０４のような、１つ以上の中継器ｅＮＢに、コアネットワーク１０６へのアクセスを提供するドナーｅＮＢ１０２を含んでいる。同様に、中継器ｅＮＢ１０４は、中継器ｅＮＢ１０８のような、１つ以上の異なる中継器ｅＮＢに、または、ＵＥ１１０のようなＵＥに、ドナーｅＮＢ１０２を通してのコアネットワーク１０６へのアクセスを提供することができる。クラスターｅＮＢとしても呼ぶことができるドナーｅＮＢ１０２は、ワイヤードまたはワイヤレスのバックホールリンクを通してコアネットワーク１０６と通信することができ、ワイヤードまたはワイヤレスのバックホールリンクは、ＬＴＥまたは他の技術のバックホールリンクとすることができる。１つの例では、コアネットワーク１０６は、３ＧＰＰ ＬＴＥまたは類似する技術のネットワークとすることができる。
【００２７】
ドナーｅＮＢ１０２は、中継器ｅＮＢ１０４に対してアクセスリンクを付加的に提供することができ、これは、ワイヤードまたはワイヤレス、ＬＴＥ、あるいは、他の技術とすることもでき、中継器ｅＮＢ１０４は、バックホールリンクを使用して、ドナーｅＮＢ１０２のアクセスリンクを通して、ドナーｅＮＢ１０２と通信することができる。中継器ｅＮＢ１０４は、同様に、中継器ｅＮＢ１０８および／またはＵＥ１１０に対してアクセスリンクを提供することができ、これは、ワイヤードまたはワイヤレスのＬＴＥ、あるいは、他の技術のリンクとすることができる。１つの例では、ドナーｅＮＢ１０２は、ＬＴＥアクセスリンクを提供することができ、中継器ｅＮＢ１０４は、ＬＴＥバックホールを使用して、ＬＴＥアクセスリンクに接続することができ、中継器ｅＮＢ１０４は、中継器ｅＮＢ１０８および／またはＵＥ１１０にＬＴＥアクセスリンクを提供することができる。ドナーｅＮＢ１０２は、異なるバックホールリンク技術を通してコアネットワーク１０６に接続することができる。説明したように、中継器ｅＮＢ１０８および／またはＵＥ１１０は、コアネットワーク１０６へのアクセスを受信するために、ＬＴＥアクセスリンクを使用して、中継器ｅＮＢ１０４に接続することができる。ここでは、ドナーｅＮＢと、接続されている中継器ｅＮＢとを、集合的にクラスターとして呼ぶことができる。
【００２８】
例にしたがうと、従来のＬＴＥコンフィギュレーションにおいてＵＥが行うように、中継器ｅＮＢ１０４は、リンクレイヤ（例えば、メディアアクセス制御（ＭＡＣ）レイヤ）、トランスポートレイヤ、アプリケーションレイヤ、および／または、これらに類するものにおいて、ドナーｅＮＢ１０２に接続することができる。この点で、ドナーｅＮＢ１０２は、中継器ｅＮＢ１０４をサポートするために、リンクレイヤや、トランスポートレイヤや、アプリケーションレイヤ等において、または、関連するインターフェース（例えば、Ｅ−ＵＴＲＡ−Ｕｕのような、ユーザ対ユーザ（Ｕｕ）や、ＥＵＴＲＡ−Ｕｎのような、ユーザ対ネットワーク（Ｕｎ）等）において、変更を要求しない従来のＬＴＥ ｅＮＢとして、動作することができる。加えて、中継器ｅＮＢ１０４は、ＵＥ１１０に対して、リンクレイヤ、トランスポートレイヤ、アプリケーションレイヤ、および／または、これらに類するものにおいて、ＬＴＥコンフィギュレーション中の従来のｅＮＢのように見えることがあり、このため、例えば、リンクレイヤ、トランスポートレイヤ、アプリケーションレイヤ等において、ＵＥ１１０が中継器ｅＮＢ１０４に接続するために必要とされる変更はない。加えて、中継器ｅＮＢ１０４は、アクセスリンクとバックホールリンクとの間を区分するリソースや、干渉管理や、クラスターに対するアイドルモードセル選択や、および／または、これらに類するものに対する手順を構成することができる。１つの例では、中継器ｅＮＢ１０４が付加的なドナーｅＮＢに接続できることを正しく認識すべきである。
【００２９】
したがって、例えば、中継器ｅＮＢ１０４は、ドナーｅＮＢ１０２と接続を確立して、（移動性管理エンティティ（ＭＭＥ）、サービングゲートウェイ（ＳＧＷ）、パケットデータネットワーク（ＰＤＮ）ゲートウェイ（ＰＧＷ）等のような、）コアネットワーク１０６中の１つ以上のコンポーネントへのアクセスを受信することができる。例では、中継器ｅＮＢ１０４は、（例えば、ドナーｅＮＢ１０２を通して、）コアネットワーク１０６中のＰＧＷ／ＳＧＷから、それらと通信するためのインターネットプロトコル（ＩＰ）アドレスを取得することができる。加えて、ＵＥ１１０は、中継器ｅＮＢ１０４と接続を確立して、コアネットワーク１０６中の１つ以上の類似するコンポーネントへのアクセスを受信することができる。この点で、例えば、ＵＥ１１０は、コアネットワーク１０６に提供するためのＩＰパケットを中継器ｅＮＢ１０４に通信することができる。中継器ｅＮＢ１０４は、ＩＰパケットを取得し、中継器ｅＮＢ１０４に関連する付加的なＩＰヘッダをパケットに関係付け、ドナーｅＮＢ１０２にパケットを提供することができる。したがって、ドナーｅＮＢ１０２は、（例えば、別のヘッダを追加して、コアネットワーク１０６に送信することにより、）中継器ｅＮＢ１０４に関連するコアネットワーク１０６のコンポーネントに対してパケットをルーティングすることができる。
【００３０】
例えば、コアネットワーク１０６のコンポーネントは、さまざまなＩＰヘッダにしたがって、コアネットワーク１０６内でパケットをルーティングすることができる。さらに、例えば、コアネットワーク１０６は、中継器ｅＮＢ１０４を通してＵＥ１１０にパケットをルーティングすることに関連するＩＰヘッダを含めるように、ＵＥ１１０に提供するためのパケットを構築することができる。例では、コアネットワーク１０６は、中継器ｅＮＢ１０４に関連するＩＰヘッダ、および、ドナーｅＮＢ１０２に関連するＩＰヘッダとともに、ＵＥ１１０に関連するＩＰヘッダをパケットに含めることができる。コアネットワーク１０６は、ヘッダを持つパケットをドナーｅＮＢ１０２に転送することができる。ドナーｅＮＢ１０２は、パケットを取得し、ドナーｅＮＢ１０２に関連するＩＰヘッダを除去し、次のＩＰヘッダに基づいて、中継器ｅＮＢ１０４にパケットを転送することができる。１つの例では、中継器ｅＮＢ１０４は、中継器ｅＮＢ１０４に関連するヘッダを同様に除去し、中継器ｅＮＢ１０４は、残りのＩＰヘッダまたは別のヘッダに基づいて、ＵＥ１１０にパケットを転送することができる。ＵＥ１１０とドナーｅＮＢ１０２との間には１つの中継器ｅＮＢ１０４が示されているが、付加的な中継器ｅＮＢが存在することがあり、説明したように、パケットルーティングを促進するために、アップリンクパケットにおよびダウンリンクパケットに、各中継器ｅＮＢに対するＩＰヘッダを追加できることを正しく認識すべきである。
【００３１】
さらに、説明するように、中継器ｅＮＢ１０４は、ＵＥと同じようにドナーｅＮＢ１０２に接続することができるので、ドナーｅＮＢにより、ドナーｅＮＢと確立することができる無線ベアラの数に制限されることもある。しかしながら、中継器ｅＮＢ１０４は、同様に、ＵＥ１１０および／または１つ以上の付加的なＵＥが、中継器ｅＮＢ１０４と多数の無線ベアラを確立することを可能にすることができ、これは、それぞれ、コアネットワーク１０６中の、ＵＥに対するエボルブドパケットシステム（ＥＰＳ）ベアラに対応することができる。この点で、ＵＥ１１０と中継器ｅＮＢ１０４との間で確立される無線ベアラ（および／または、関係付けられているＥＰＳベアラ）は、中継器ｅＮＢ１０４とドナーｅＮＢ１０２との間で確立される制限された無線ベアラにマッピングすることができる。例では、コアネットワーク１０６は、ドナーｅＮＢ１０２を通して中継器ｅＮＢ１０４に確実にパケットをルーティングするために、このようなマッピングを実行することがある。したがって、中継器ｅＮＢ１０４とドナーｅＮＢ１０２との間の単一の無線ベアラを通して、複数のＥＰＳベアラに関連するパケットを通信することができる。
【００３２】
加えて、ドナーｅＮＢ１０２および中継器ｅＮＢ１０４は、無線ベアラを通して、ロバストヘッダ圧縮（ＲｏＨＣ）をサポートすることができる。１つの例では、ドナーｅＮＢ１０２は、中継器ｅＮＢ１０４との無線ベアラに対して、単一のＲｏＨＣ圧縮器および／または伸張器インスタンスを有することができ、中継器ｅＮＢ１０４は、同様に、所定の無線ベアラに対する単一の伸張器および／または圧縮器を有することができる。この例では、ドナーｅＮＢ１０２は、単一の無線ベアラを通る（例えば、複数のＵＥに対する）複数のＥＰＳベアラに対するパケットヘッダ（例えば、インターネットプロトコル（ＩＰ）、ユーザデータグラムプロトコル（ＵＤＰ）、汎用パケット無線サービス（ＧＰＲＳ）、トンネリングプロトコル（ＧＴＰ）、および／または、類似するパケットヘッダ）を圧縮することができる。例えば、ドナーｅＮＢ１０２は、ＲｏＨＣヘッダ中にＲｏＨＣコンテキスト識別子を挿入することができ、中継器ｅＮＢ１０４は、適切な伸張を適用するために、ＲｏＨＣコンテキスト識別子に基づいて、ＲｏＨＣコンテキストを区別することができる。同様に、中継器ｅＮＢ１０４は、ＲｏＨＣコンテキスト識別子を使用して圧縮することができ、ドナーｅＮＢは、ＲｏＨＣコンテキスト識別子を使用して伸張することができる。ＲｏＨＣコンテキストが、ＲｏＨＣプロファイルを含むことができ、ＲｏＨＣプロファイルは、それらの効率的な送信のために１つ以上のパケットヘッダを圧縮するための命令または他のパラメータを含むことができることを正しく認識すべきである。命令およびパラメータは、例えば、圧縮／伸張するためのパケットヘッダ、ベアラのタイプおよび／またはベアラを通して送信されるデータ、宛先ノードまたは宛先ノードのタイプ、利用可能なリソース、ならびに／あるいは、これらに類するものに少なくとも部分的に基づいて、変更することができる。
【００３３】
別の例では、ドナーｅＮＢ１０２は、中継器ｅＮＢ１０４との無線ベアラにマッピングされている各ＥＰＳベアラに対して１つ以上のＲｏＨＣ圧縮器および／または伸張器を有することができる。同様に、中継器ｅＮＢ１０４は、各ＥＰＳベアラに対して１つ以上のＲｏＨＣ伸張器および／または圧縮器を有することができる。この例では、ドナーｅＮＢ１０２のＲｏＨＣ圧縮器は、パケットヘッダを圧縮することができ、ドナーｅＮＢ１０２は、圧縮したヘッダと所定のＥＰＳベアラに対する関連するパケットとを、トンネルエンドポイント識別子（ＴＥＩＤ）のような、ＥＰＳベアラ（および／または、対応するＵＥ１１０ベアラ）に関連する識別子を含む、トンネリングプロトコルヘッダ中にカプセル化することができる。１つの例では、トンネリングプロトコルは、ＧＴＰ−Ｕとすることができる。
【００３４】
カプセル化されたパケットを受信した際に、中継器ｅＮＢ１０４は、例えば、トンネルからヘッダおよびパケットを抽出することができ、中継器ｅＮＢ１０４の伸張器のうちの１つは、ＴＥＩＤに少なくとも部分的に基づいて、ＲｏＨＣコンテキストを決定することができる。この点で、伸張器は、適切な伸張をヘッダに適用することができる。同様に、説明したように、ＲｏＨＣコンテキストを見分けるためのＴＥＩＤを使用して、中継器ｅＮＢ１０４は圧縮することができ、ドナーｅＮＢ１０２は伸張することができる。加えて、（例えば、中継器ｅＮＢ１０８と通信するＵＥのベアラに関連するような）中継器ｅＮＢ１０４から中継器ｅＮＢ１０８への通信中でも、類似する圧縮／伸張を実行できることを正しく認識すべきである。さらに、トンネリングプロトコルに対するヘッダもまた、圧縮することができる。１つの例では、ヘッダは、サービングゲートウェイ（ＳＧＷ）、パケットデータネットワーク（ＰＤＮ）ゲートウェイ（ＰＧＷ）等のような、アップストリームネットワークノードの、圧縮することができるアドレスを含むことができる。１つの例では、関係付けられているＩＰパケットとともに、パケットデータコンバージェンスプロトコル（ＰＤＣＰ）レイヤを通して、トンネリングプロトコルを送信することができる。
【００３５】
ここで図２を見ると、所定の無線ベアラにマッピングされている複数のＥＰＳベアラに対するＲｏＨＣを促進する例示的なワイヤレス通信システム２００が示されている。システム２００は、中継器ｅＮＢ１０４（および／または、他の中継器ｅＮＢ）に、コアネットワーク１０６へのアクセスを提供するドナーｅＮＢ１０２を含んでいる。さらに、説明したように、中継器ｅＮＢ１０４は、ＵＥ１１０のような１つ以上のデバイスに、および／または、他の中継器ｅＮＢに、ドナーｅＮＢ１０２を通してのコアネットワーク１０６へのアクセスを提供することができる。加えて、１つの例では、類似する機能性を提供するために、中継器ｅＮＢ１０４は、ドナーｅＮＢのコンポーネントを備えることができ、逆もまた同じであることを正しく認識すべきである。さらに、ドナーｅＮＢ１０２は、マクロセルアクセスポイント、フェムトセルアクセスポイント、ピコセルアクセスポイント、移動体基地局、および／または、これらに類するものとすることができる。説明したように、中継器ｅＮＢ１０４は、同様に、ワイヤレスまたはワイヤードのバックホールを通してドナーｅＮＢ１０２と通信する、移動性のまたは静的な中継器ノードとすることができる。
【００３６】
ドナーｅＮＢ１０２は、ＥＰＳベアラを通して受信したパケットに対するＲｏＨＣコンテキストまたは関連する識別子を決定するＲｏＨＣコンテキスト選択コンポーネント２０２と、ＲｏＨＣコンテキストに少なくとも部分的に基づいて、ＥＰＳベアラを通して受信したパケットヘッダに圧縮を適用するＲｏＨＣ圧縮コンポーネント２０４と、圧縮された通信のＲｏＨＣヘッダ中の選択されたＲｏＨＣコンテキストを指定するＲｏＨＣコンテキスト表示コンポーネント２０６と、中継器ｅＮＢの無線ベアラに通信を送信する、および／または、中継器ｅＮＢの無線ベアラから通信を受信するベアラ通信コンポーネント２０８とを備えている。中継器ｅＮＢ１０４は、１つ以上のアップストリームノードを通してコアネットワークから通信を受信する、および／または、１つ以上のアップストリームノードを通してコアネットワークに通信を送信するベアラ通信コンポーネント２１０と、パケットのＲｏＨＣヘッダ中の識別子に少なくとも部分的に基づいて、１つ以上のＥＰＳベアラにマッピングされている無線ベアラを通して受信したパケットヘッダに関連するＲｏＨＣコンテキストを取得するＲｏＨＣコンテキスト決定コンポーネント２１２と、決定されたＲｏＨＣコンテキストに少なくとも部分的に基づいて、パケットヘッダに伸張を適用するＲｏＨＣ伸張コンポーネント２１４とを備えることができる。
【００３７】
例にしたがうと、ドナーｅＮＢ１０２は、中継器ｅＮＢ１０４（および／または、そこと直接的または間接的に通信する、１つ以上の中継器ｅＮＢまたはＵＥ１１０のようなデバイス）への送信に対する通信を受信することができる。例えば、コアネットワーク１０６は、ＵＥ１１０と中継器ｅＮＢ１０４との間の無線ベアラに対応するＥＰＳベアラを前もって確立することができる。加えて、中継器ｅＮＢ１０４は、ドナーｅＮＢ１０２にＵＥパケットを通信するために、ドナーｅＮＢ１０２と１つ以上の無線ベアラを確立することができ、これは、ＵＥ１１０とコアネットワーク１０６との間でパケットをルーティングするための、ドナーｅＮＢ１０２、中継器ｅＮＢ１０４等におけるＥＰＳベアラにマッピングすることができる。説明するように、中継器ｅＮＢ１０４は、複数の直接接続されているＵＥとともに、中継器ｅＮＢをサポートすることができ、これは、接続されているＵＥまたは付加的な中継器ｅＮＢ等を有することができる。したがって、中継器ｅＮＢ１０４において無線ベアラの数が制限されている場合に、デバイスとの多数の無線ベアラを（したがって、ＥＰＳベアラを）サポートするように、中継器ｅＮＢ１０４が要求されることがある。この点で、単一の無線ベアラを通しての送信のために、多数のＥＰＳベアラに対する複数のＩＰヘッダおよびトンネリングプロトコルヘッダの圧縮をサポートするための、１つ以上のＲｏＨＣプロファイルを規定することができる。さらに、例えば、ＥＰＳベアラに関連するパケットに対するＲｏＨＣ圧縮／伸張の詳細を指定するために、ＲｏＨＣコンテキストにＲｏＨＣプロファイルを関係付けることができる。
【００３８】
例では、いったん、コアネットワーク１０６から通信を受信すると、ＲｏＨＣコンテキスト選択コンポーネント２０２は、通信に対するＲｏＨＣコンテキストを決定することができる。１つの例では、これは、圧縮するヘッダのタイプ、ＥＰＳベアラに前もって関係付けられたＲｏＨＣコンテキスト、対応する無線ベアラ、および／または、関連する通信（例えば、音声、ビデオ、ゲーミング等）、データを受信する中継器ｅＮＢ（例えば、この例では、中継器ｅＮＢ１０４）、利用可能なシステムリソース、および／または、これらに類するものに少なくとも部分的に基づくことができる。ＲｏＨＣ圧縮コンポーネント２０４は、中継器ｅＮＢ１０４とドナーｅＮＢ１０２との間の無線ベアラを通る通信の効率的な送信を促進するためのＲｏＨＣプロファイルに少なくとも部分的に基づいて、通信または通信のヘッダに対してＲｏＨＣ圧縮を適用することができる。１つの例では、ＲｏＨＣ圧縮コンポーネント２０４は、中継器ｅＮＢ１０４に以前に通信されたパケットヘッダ中の１つ以上のパラメータを除去または置換することにより、パケットの１つ以上のヘッダを圧縮し、１つ以上のヘッダを、ヘッダの代わりに通信されるより小さい値に関係付け、および／または、これらに類することを行う。
【００３９】
加えて、ＲｏＨＣコンテキストは、例えば、タイプ、ＲｏＨＣプロファイル等のような、ＲｏＨＣコンテキストの１つ以上のパラメータを示し、ＲｏＨＣコンテキストの１つ以上のパラメータを後に決定するのに利用する、関係付けられている識別子を有することができる。この点で、ＲｏＨＣコンテキスト表示コンポーネント２０６は、パケットヘッダのうちの１つ以上の中や、追加されたＲｏＨＣヘッダ等の中に、識別子を挿入することができる。ベアラ通信コンポーネント２０８は、マッピングされた無線ベアラを通して、中継器ｅＮＢ１０４に対して、ＲｏＨＣ圧縮された通信を提供することができる。説明したように、例えば、ベアラ通信コンポーネント２０８は、無線ベアラを通して、異なるＥＰＳベアラに対する付加的なＲｏＨＣ圧縮された通信を同時に提供することができる。１つの例では、ベアラ通信コンポーネント２０８は、ＩＰヘッダに少なくとも部分的に基づいて、ＲｏＨＣ圧縮された通信を中継器ｅＮＢ１０４に提供することができ、通信のトンネリングプロトコルヘッダの識別子と中継器ｅＮＢ１０４との間の関係を、ルーティングテーブル等の中に配置する。
【００４０】
ベアラ通信コンポーネント２１０は、ＲｏＨＣ圧縮された通信を受信することができる。ＲｏＨＣコンテキスト決定コンポーネント２１２は、ＲｏＨＣヘッダ中の識別子を評価して、ＲｏＨＣコンテキストを決定することができる。ＲｏＨＣ伸張コンポーネント２１４は、例えば、決定したＲｏＨＣコンテキストに基づいて、通信または関連するヘッダを伸張することができる。これは、例えば、関連するＲｏＨＣプロファイルに基づく伸張を含むことができる。例えば、仕様、コンフィギュレーション、以前の通信、および／または、これらに類するものにしたがって、ドナーｅＮＢ１０２および／または中継器ｅＮＢ１０４とによりＲｏＨＣコンテキスト識別子を知ることができることを正しく認識すべきである。さらに、ＲｏＨＣコンテキスト識別子を使用することで、ＲｏＨＣパケットを伸張するために要求される他のＲｏＨＣコンテキスト情報を送信する必要性が軽減され、これは、帯域幅要件を減少させる。実際には、ＲｏＨＣヘッダ中の小さい数のビットとして、ＲｏＨＣコンテキスト識別子を指定することができる。１つの例では、ＲｏＨＣコンテキストヘッダは、通信のタイプにおよび／または適用される関連するＲｏＨＣ圧縮に関連するだけでなく、対応する宛先ノード（例えば、ＵＥ１１０、あるいは、中継器ｅＮＢ１０４と直接的または間接的に通信する、別の中継器ｅＮＢまたはＵＥ）に特有であることもできる。
【００４１】
１つの例では、ＲｏＨＣコンテキスト選択コンポーネント２０２は、コアネットワーク１０６から受信した通信に対するＲｏＨＣコンテキストを決定することができ、これは、以下のフォーマットに類似するパケット構造を有することがある。
【表１】
0005307290.tif 000002
【００４２】
したがって、説明したように、１つ以上のＩＰ中継器ノード間でのルーティングを促進するために、ＵＤＰ／ＩＰヘッダおよびＧＴＰヘッダを元々のパケットに追加することができる。ＵＥ１１０とドナーｅＮＢ１０２との間の通信パス中にある各中継器ｅＮＢに対するＵＤＰ／ＩＰヘッダおよびＧＴＰヘッダを、パケットが含むことができることを正しく認識すべきである。説明したように、ＲｏＨＣコンテキスト選択コンポーネント２０２は、コアネットワーク１０６からパケットを受信した無線ベアラ、パケットのタイプ、圧縮するヘッダ、関連するＵＥ（ＵＥ１１０）、および／または、これらに類するものに少なくとも部分的に基づいて、ＲｏＨＣコンテキストを決定することができる。ＲｏＨＣ圧縮コンポーネント２０４は、ＲｏＨＣコンテキストに関係付けられているＲｏＨＣプロファイルにしたがって、２つのＵＤＰ／ＩＰヘッダとＧＴＰヘッダとを圧縮することができる。付加的なＵＤＰ／ＩＰヘッダおよびＧＴＰヘッダがある場合に、ＲｏＨＣ圧縮コンポーネント２０４は、これらを同様に圧縮することができる。加えて、ベアラ確立の間に、中継器ｅＮＢ１０４との無線ベアラを通して送信される通信に対して利用可能なＲｏＨＣプロファイルのリスト中でＲｏＨＣプロファイルを指定することができる。
【００４３】
説明したように、ＲｏＨＣプロファイルは、例えば、より効率的な通信のためにより小さい値をヘッダに関係付けることに関連することができ、圧縮および／または伸張するための命令を規定することができる。説明したように、ＲｏＨＣコンテキスト表示コンポーネント２０６は、パケットのＲｏＨＣヘッダ中のＲｏＨＣコンテキスト識別子を指定することができ、ベアラ通信コンポーネント２０８は、中継器ｅＮＢ１０４にパケットを送信することができる。ベアラ通信コンポーネント２１０は、パケットを受信することができ、ＲｏＨＣコンテキスト決定コンポーネント２１２は、ＲｏＨＣコンテキスト識別子に少なくとも部分的に基づいて、パケットのＲｏＨＣコンテキストを識別することができる。ＲｏＨＣ伸張コンポーネント２１４は、ＲｏＨＣコンテキスト識別子に関係付けられているＲｏＨＣコンテキストに少なくとも部分的に基づいて、２つ以上のＩＰヘッダと１つ以上のＧＴＰヘッダとを伸張することができ、これは、説明したように、例えば、関係付けられているＲｏＨＣプロファイルに少なくとも部分的に基づいて伸張することを含むことができる。
【００４４】
さらに、説明したように、単一の無線ベアラにマッピングされている複数のＥＰＳベアラに対するＲｏＨＣ機能性を、ダウンストリーム中継器ｅＮＢと通信している中継器ｅＮＢ１０４に提供することができる。実際には、実質的に任意の２つの通信ノードが、ここで説明するコンポーネントを利用することができ、１つのノードにおいて、ＲｏＨＣ圧縮コンポーネント２０４を有し、もう一方において、ＲｏＨＣ伸張コンポーネント２１４を有する。中継器ｅＮＢ１０４と通信しているドナーｅＮＢ１０２とともに示されている例は、１つの可能性あるインプリメンテーションに過ぎない。
【００４５】
図３を参照すると、単一の無線ベアラに対して複数のＲｏＨＣ圧縮されたＥＰＳベアラを多重化するための例示的なワイヤレス通信システム３００が示されている。説明したように、システム３００は、中継器ｅＮＢ１０４へのワイヤレスネットワークアクセスを提供するドナーｅＮＢ１０２を含んでいる。ドナーｅＮＢ１０２は、中継器ｅＮＢ１０４と確立されている単一の専用無線ベアラ（ＤＲＢ）３０６を通して、複数のＥＰＳベアラＲｏＨＣパケットを通信するための、ＲｏＨＣ圧縮器／伸張器の単一のインスタンスを提供するＲｏＨＣ圧縮／伸張コンポーネント３０２を備えることができる。同様に、中継器ｅＮＢ１０４は、単一のＤＲＢ３０６を通して、複数のＥＰＳベアラＲｏＨＣパケットをドナーｅＮＢ１０２に同様に通信するためのＲｏＨＣ圧縮器／伸張器の単一のインスタンスを提供するＲｏＨＣ圧縮／伸張コンポーネント３０４を備えることができる。例えば、示されているように、識別子０に対応するＲｏＨＣコンテキストにしたがって、ＲｏＨＣ圧縮／伸張コンポーネント３０２は、（例えば、（示されていない）コアネットワークから受信した）ＥＰＳベアラ１に対する通信を圧縮することができ、３０８において表されているように、ＤＲＢ３０６を通して通信を送信することができる。この例では、ＲｏＨＣ圧縮／伸張コンポーネント３０４は、識別子０により表されているＲｏＨＣコンテキストにしたがって、ＥＰＳベアラ１から受信した通信を伸張することができる。
【００４６】
同様に、説明したように、ＲＯＨＣ圧縮／伸張コンポーネント３０４は、識別子０を持つＲｏＨＣコンテキストにしたがって、ＥＰＳベアラ１を通して送信することになる通信を圧縮し、圧縮した通信をドナーｅＮＢ１０２に対して送信することができる。ＲｏＨＣ圧縮／伸張コンポーネント３０２は、説明したように、ＲｏＨＣ通信中に含まれているデータをコアネットワークに転送するために、識別子０により表されているＲｏＨＣコンテキストにしたがって、通信を伸張することができる。説明したように、例えば、コンフィギュレーション、仕様、および／または、これらに類するものにしたがって、ドナーｅＮＢ１０２および／または中継器ｅＮＢ１０４において、ＲｏＨＣコンテキストと、関係付けられている識別子とを知ることができる。さらに、例えば、ＲｏＨＣコンテキストは、ＲｏＨＣプロファイルに関連することができる。例では、ＩＰ中継器に対する効率的な通信を促進するために、パケット中の、複数のＩＰヘッダと少なくとも１つのＧＴＰヘッダとを圧縮および／または伸張するためのＲｏＨＣプロファイルを規定することができる。
【００４７】
同様に、ＲｏＨＣ圧縮／伸張コンポーネント３０２は、ＤＲＢ３０６を通して、３１０において、識別子１を持つＲｏＨＣコンテキストを使用して、ＥＰＳベアラ２を通る通信を圧縮／伸張することができ、３１２において、識別子２を持つＲｏＨＣコンテキストを使用して、ＥＰＳベアラ３を通る通信を圧縮／伸張することができ、３１４において、識別子３を持つＲｏＨＣコンテキストを使用して、ＥＰＳベアラ４を通る通信を圧縮／伸張することができ、３１６において、識別子４を持つＲｏＨＣコンテキストを使用して、ＥＰＳベアラ５を通る通信を圧縮／伸張することができる。１つの例では、ＲｏＨＣコンテキスト識別子０は、０バイトとして、ＲｏＨＣヘッダ中で表すことができる。ＲｏＨＣコンテキスト識別子は、例えば、０〜１５に及ぶことがあり、ここで、１〜１５は、ＲｏＨＣヘッダ中の４ビットのフィールドとして表すことができる。さらに、例えば、ＲｏＨＣコンテキスト識別子は、所望の帯域幅利用と、サポートされるコンテキストの数とをバランスさせるために、より大きい数に拡張することができる。
【００４８】
図４を参照すると、単一の無線ベアラを通して、複数のＥＰＳベアラに対するＲｏＨＣ圧縮されたヘッダを通信するための例示的なワイヤレス通信システム４００が示されている。システム４００は、中継器ｅＮＢ１０４（および／または、他の中継器ｅＮＢ）に、コアネットワーク１０６へのアクセスを提供するドナーｅＮＢ１０２を含んでいる。さらに、説明したように、中継器ｅＮＢ１０４は、ＵＥ１１０のような１つ以上のデバイスにおよび／または他の中継器ｅＮＢに、ドナーｅＮＢ１０２を通してのコアネットワーク１０６へのアクセスを提供することができる。加えて、１つの例では、類似する機能性を提供するために、中継器ｅＮＢ１０４が、ドナーｅＮＢ１０２のコンポーネントを備えることができ、逆もまた同じであることを正しく認識すべきである。さらに、ドナーｅＮＢ１０２は、マクロセルアクセスポイント、フェムトセルアクセスポイント、ピコセルアクセスポイント、移動体基地局、および／または、これらに類するものとすることができる。説明したように、中継器ｅＮＢは、同様に、ワイヤレスまたはワイヤードのバックホールを通してドナーｅＮＢ１０２と通信する、移動性のまたは静的な中継器ノードとすることができる。
【００４９】
ドナーｅＮＢ１０２は、コアネットワーク１０６から受信した１つ以上のパケットのヘッダを圧縮するためのＲｏＨＣ圧縮器を初期化するＲｏＨＣ圧縮インスタンスコンポーネント４０２と、圧縮したヘッダパケットをルーティングするためのトンネリングプロトコルヘッダを生成させるパケットカプセル化コンポーネント４０４と、パケットのルーティングを促進するために、中継器ｅＮＢ１０４に関連するＴＥＩＤをトンネリングプロトコルヘッダ中に挿入する識別子指定コンポーネント４０６と、中継器ｅＮＢの無線ベアラに通信を送信し、および／または、中継器ｅＮＢの無線ベアラから通信を受信するベアラ通信コンポーネント２０８とを備えている。中継器ｅＮＢ１０４は、ＥＰＳベアラを通して（例えば、１つ以上のアップストリームノードを通して）、コアネットワークから通信を受信する、および／または、ＥＰＳベアラを通して（例えば、１つ以上のアップストリームノードを通して）、コアネットワークに通信を送信するベアラ通信コンポーネント２１０と、受信したトンネリングプロトコルヘッダ中の識別子を決定する識別子受信コンポーネント４０８と、識別子に少なくとも部分的に基づいて、ＲｏＨＣコンテキストを見分けるＲｏＨＣコンテキスト決定コンポーネント２１２と、受信した識別子に少なくとも部分的に基づいて、パケットヘッダを伸張することができるＲｏＨＣ伸張器を初期化するＲｏＨＣ伸張インスタンスコンポーネント４１０とを備えることができる。
【００５０】
例にしたがうと、ドナーｅＮＢ１０２は、中継器ｅＮＢ１０４（および／または、そこと直接的または間接的に通信する、１つ以上の中継器ｅＮＢまたはＵＥ１１０のようなデバイス）に対する通信を受信することができる。例えば、コアネットワーク１０６は、ＵＥ１１０のベアラにマッピングされるＥＰＳベアラを前もって確立することができた。中継器ｅＮＢ１０４は、中間ノードとして、（例えば、実際は、ＥＰＳベアラをマッピングする）コアネットワーク１０６へのベアラを確立することができ、ＥＰＳベアラを通して送信されたデータをＵＥ１１０に転送することができる。説明したように、中継器ｅＮＢ１０４は複数の直接接続されているＵＥとともに中継器ｅＮＢをサポートすることができ、これはまた、接続されているＵＥまたは付加的な中継器ｅＮＢ等も有することができる。したがって、ドナーｅＮＢ１０２との無線ベアラの数が制限されている場合に、多数のＥＰＳベアラをサポートするように中継器ｅＮＢ１０４が要求されることがあり、単一の無線ベアラに対する多数のＥＰＳベアラをサポートするために、ＲｏＨＣを実行することがある。
【００５１】
例では、いったん、コアネットワーク１０６からパケットを受信すると、ＲｏＨＣ圧縮インスタンスコンポーネント４０２は、パケット（および／または、例えば、同じＥＰＳベアラを通して受信した他のパケット）に対するＲｏＨＣ圧縮器を生成させることができ、ＲｏＨＣ圧縮器は、説明したように、１つ以上のＲｏＨＣプロファイルにしたがって、パケットヘッダを圧縮することができる。パケットカプセル化コンポーネント４０４は、ＲｏＨＣパケットに対するトンネリングプロトコルヘッダを生成させることができる。１つの例では、トンネリングプロトコルヘッダは、ＧＴＰ−Ｕヘッダ、および／または、これらに類するものとすることができる。例えば、トンネリングプロトコルヘッダも同様に圧縮することができる。１つの例では、パケットカプセル化コンポーネント４０４は、ヘッダおよびパケットをＧＴＰ−Ｕヘッダ中にカプセル化することができる。識別子指定コンポーネント４０６は、ＵＥ１１０に関連するＴＥＩＤまたはその一部分のような識別子をＧＴＰ−Ｕヘッダ中に含めることができる。
【００５２】
ベアラ通信コンポーネント２０８は、マッピングされた無線ベアラを通して、中継器ｅＮＢ１０４に対して、カプセル化された通信を提供することができる。説明したように、例えば、ベアラ通信コンポーネント２０８はまた、無線ベアラを通して、異なるＥＰＳベアラに対する付加的なＲｏＨＣ圧縮された通信を提供することができる。１つの例では、ベアラ通信コンポーネント２０８は、パケットのヘッダ中のＩＰアドレスに少なくとも部分的に基づいて、カプセル化された通信を中継器ｅＮＢ１０４に提供することができ、通信のヘッダ中の識別子（例えば、ＴＥＩＤ）と中継器ｅＮＢ１０４との間の関係付けをルーティングテーブル中等に配置する。
【００５３】
ベアラ通信コンポーネント２１０は、カプセル化された通信を受信することができる。識別子受信コンポーネント４０８は、トンネリングプロトコルヘッダ中の識別子（例えば、説明したように、ＴＥＩＤおよび／または中継器識別子）を決定することができる。ＲｏＨＣコンテキスト決定コンポーネント２１２は、識別子に少なくとも部分的に基づいて、ヘッダを圧縮するのに利用したＲｏＨＣコンテキストを決定することができる。さらに、この例では、ＲｏＨＣ伸張インスタンスコンポーネント４１０は、ＲｏＨＣコンテキストにしたがって、パケットヘッダを伸張するＲｏＨＣ伸張器を初期化することができる。この点で、付加的なＲｏＨＣコンテキストパラメータを、ドナーｅＮＢ１０２と中継器ｅＮＢ１０４との間で、送信する必要はない。むしろ、中継器ｅＮＢ１０４は、ＵＥ１１０のＴＥＩＤに基づいて、パケットヘッダをＲｏＨＣ伸張することができる。加えて、例えば、ＥＰＳベアラに対するＲｏＨＣ圧縮のタイプは、ドナーｅＮＢ１０２と中継器ｅＮＢ１０４との間で前もって通信することができ、各ノードは、ＲｏＨＣプロファイルまたは他の圧縮／伸張パラメータのタイプと、ＵＥ１１０に関連する識別子との間の関係付けを記憶することができる。別の例では、ＥＰＳベアラタイプは、ドナーｅＮＢ１０２と中継器ｅＮＢ１０４とにおいて知ることができ、ＲｏＨＣコンテキストは、ＥＰＳベアラタイプに基づくことができる。ＲｏＨＣ伸張器を同様に利用して、対応するＥＰＳベアラを通して受信した付加的なパケットのヘッダを伸張できることを正しく認識すべきである。
【００５４】
さらに、説明したように、単一の無線ベアラにマッピングされている複数のＥＰＳベアラに対する、中継器ｅＮＢ１０４の識別子に基づいたＲｏＨＣ機能性を、ダウンストリーム中継器ｅＮＢと通信している中継器ｅＮＢ１０４に対して提供することができる。実際には、実質的に任意の２つの通信ノードは、ここで説明するコンポーネントを利用することができ、１つのノードにおいて、複数のＲｏＨＣ圧縮器を有し、もう一方において、対応する複数のＲｏＨＣ伸張器を有する。加えて、別の例では、中継器ｅＮＢ１０４は、圧縮を実行することができ、ドナーｅＮＢ１０２は、伸張を実行できる。中継器ｅＮＢ１０４と通信するドナーｅＮＢ１０２とともに示されている例は、１つの可能性あるインプリメンテーションに過ぎない。
【００５５】
図５を参照すると、中継器ｅＮＢ１０４の識別子に基づいて、単一のＤＲＢを通る、複数のＲｏＨＣ圧縮されたＥＰＳベアラを多重化するための例示的なワイヤレス通信システム５００が示されている。説明したように、システム５００は、中継器ｅＮＢ１０４に、ワイヤレスネットワークアクセスを提供するドナーｅＮＢを含んでいる。ドナーｅＮＢ１０２は、提供されるＤＲＢ３０６を通る通信を圧縮するための、複数のＲｏＨＣ圧縮インスタンス５０６、５０８、５１０、および５１２を提供するＲｏＨＣ圧縮／伸張コンポーネント５０２を備えることができる。同様に、中継器ｅＮＢ１０４は、ＤＲＢ３０６を通る通信を伸張するための、複数のＲｏＨＣ伸張インスタンス５１４、５１６、５１８、および、５２０を提供するＲｏＨＣ圧縮／伸張コンポーネント５０４を備えることができる。
【００５６】
例えば、示されているように、ＲｏＨＣ圧縮インスタンス５０６は、５２２において、ＴＥＩＤ ＡＡＢＢに関連するＲｏＨＣコンテキストを使用して、ＥＰＳベアラ１を通して受信した通信および／または関連するヘッダを圧縮することができる。例えば、ＴＥＩＤは、（例えば、ＵＥとの）中継器ｅＮＢ１０４のベアラに割り当てられている識別子とすることができる。１つの例では、識別子は、ドナーｅＮＢ１０２により中継器ｅＮＢ１０４またはダウンストリームベアラに割り当てられている部分と、別のノード（例えば、ダウンストリームベアラに対する中継器ｅＮＢ１０４）により割り当てられている部分との連結とすることができる。いずれのケースでも、ＴＥＩＤにしたがって通信を伸張するために、ＲｏＨＣ伸張インスタンス５１４が、ＲｏＨＣ伸張コンテキストを決定し、適用することができるように、識別子は一意的とすることができる。
【００５７】
同様に、ＲｏＨＣ圧縮インスタンス５０８は、５２４において、ＴＥＩＤ ＣＣＤＤにしたがって、ＥＰＳベアラ２を通る通信を圧縮することができ、ＲｏＨＣ伸張インスタンス５１６は、圧縮された通信または関連するヘッダを、ＴＥＩＤに基づいて、伸張することができる。加えて、示されているように、ＲｏＨＣ圧縮インスタンス５１０は、５２６において、ＴＥＩＤ ＥＥＦＦにしたがって、ＥＰＳベアラ３を通る通信を圧縮することができ、ＲｏＨＣ伸張インスタンス５１８は、圧縮された通信または関連するヘッダを、ＴＥＩＤに基づいて、伸張することができる。さらに、ＲｏＨＣ圧縮インスタンス５１２は、５２８において、ＴＥＩＤ ＧＧＨＨにしたがって、ＥＰＳベアラ４を通る通信を圧縮することができ、ＲｏＨＣ伸張インスタンス５２０は、圧縮された通信または関連するヘッダを、ＴＥＩＤに基づいて、伸張することができる。
【００５８】
図６を参照すると、指定された使用可能なＲｏＨＣプロファイルで、ｅＮＢ間でベアラを確立することを促進する例示的なワイヤレス通信システム６００が示されている。システム６００は、中継器ｅＮＢ１０４（および／または、他の中継器ｅＮＢ）に、コアネットワーク１０６へのアクセスを提供するドナーｅＮＢ１０２を含んでいる。付加的に、説明したように、中継器ｅＮＢ１０４は、ＵＥ１１０のような１つ以上のデバイスおよび／または他の中継器ｅＮＢに、ドナーｅＮＢ１０２を通してのコアネットワーク１０６へのアクセスを提供することができる。加えて、１つの例では、類似する機能性を提供するために、中継器ｅＮＢ１０４は、ドナーｅＮＢ１０２のコンポーネントを備えることができ、逆もまた同じであることを正しく認識すべきである。さらに、ドナーｅＮＢ１０２は、マクロセルアクセスポイント、フェムトセルアクセスポイント、ピコセルアクセスポイント、移動体基地局、および／または、これらに類するものとすることができる。説明したように、中継器ｅＮＢ１０４は、同様に、ワイヤレスまたはワイヤードのバックホールを通してドナーｅＮＢ１０２と通信する、移動性のまたは静的な中継器ノードとすることができる。
【００５９】
ドナーｅＮＢ１０２は、１つ以上の中継器ｅＮＢと通信して、１つ以上の無線ベアラを確立するベアラ確立要求コンポーネント６０２と、確立されることになる無線ベアラに対する複数のＲｏＨＣプロファイルを指定するＲｏＨＣプロファイル関係付けコンポーネント６０４と、中継器ｅＮＢに通信を送信し、および／または、中継器ｅＮＢから通信を受信する通信コンポーネント６０６とを備えている。中継器ｅＮＢ１０４は、（例えば、１つ以上のアップストリームノードを通して、）コアネットワークから通信を受信し、および／または、（例えば、１つ以上のアップストリームノードを通して、）コアネットワークに通信を送信する通信コンポーネント６０８と、そこを通して通信するための、ドナーｅＮＢとの無線ベアラを初期化するベアラ確立コンポーネント６１０と、無線ベアラに対する複数のＲｏＨＣプロファイルを取得するＲｏＨＣプロファイル決定コンポーネント６１２とを備えることができる。
【００６０】
例にしたがうと、中継器ｅＮＢ１０４は、ドナーｅＮＢ１０２と通信して、コアネットワーク１０６へのアクセスを受信することができる。例えば、アタッチメント手順の間に、または、付加的なベアラに対する他の要求の間に、ベアラ確立要求コンポーネント６０２は、あるタイプのパケットを中継器ｅＮＢ１０４と通信するために、中継器ｅＮＢ１０４と無線ベアラを確立するための要求を発生させることができる。加えて、ＲｏＨＣプロファイル関係付けコンポーネント６０４は、無線ベアラに対する１つ以上のＲｏＨＣプロファイルを選択することができ、ＲｏＨＣプロファイルは、無線ベアラを通して通信するためのＲｏＨＣ圧縮／伸張命令を規定する。通信コンポーネント６０６は、中継器ｅＮＢ１０４に対して、ベアラ確立要求を送信することができる。通信コンポーネント６０８は、要求を受信することができ、ベアラ確立コンポーネント６１０は、ドナーｅＮＢ１０２との無線ベアラの初期化を開始することができる。加えて、ＲｏＨＣプロファイル決定コンポーネント６１２は、無線ベアラを通して受信したパケットを後に圧縮／伸張するために、ベアラ確立要求から、ＲｏＨＣプロファイルを取得することができる。１つの例では、説明したように、ＲｏＨＣプロファイルは、複数のＵＤＰ／ＩＰヘッダと１つ以上のＧＴＰヘッダとを有するパケットを圧縮／伸張するための１つ以上のＲｏＨＣプロファイルを含むことができる。
【００６１】
ここで図７を見ると、ＩＰ中継器機能性を提供する例示的なワイヤレス通信ネットワーク７００が示されている。説明したように、ネットワーク７００は、ワイヤレスネットワークへのアクセスを受信するために中継器ｅＮＢ１０４と通信するＵＥ１１０を含んでいる。中継器ｅＮＢ１０４は、ワイヤレスネットワークへのアクセスを提供するドナーｅＮＢ１０２と通信することができ、説明したように、ドナーｅＮＢ１０２は、中継器ｅＮＢ１０４に関連するＭＭＥ７０２および／またはＳＧＷ７０４と通信することができる。ＳＧＷ７０４は、ＳＧＷ７０４および／または付加的なＳＧＷにネットワークアクセスを提供するＰＧＷ７０６に接続または結合することができる。ＰＧＷ７０６は、中継器ｅＮＢ１０４がネットワークを使用することを認証／認可するポリシーおよびチャージングルール機能（ＰＣＲＦ）７０８と通信することができ、これは、ＩＰマルチメディアサブシステム（ＩＭＳ）７１０を利用して、中継器ｅＮＢ１０４にアドレッシングを提供することができる。
【００６２】
例にしたがうと、ＳＧＷ７０４およびＰＧＷ７０６はまた、ＵＥ１１０に関連することができるＳＧＷ７１６およびＰＧＷ７１８と通信することができる。例えば、ＳＧＷ７１６および／またはＰＧＷ７１８は、ＵＥ１１０にＩＰアドレスを割り当てることができ、ＳＧＷ７０４およびＰＧＷ７０６、ドナーｅＮＢ１０２、ならびに、中継器ｅＮＢ１０４を介して、そこと通信することができる。上記で説明したように、ＵＥ１１０と、ＳＧＷ７１６および／またはＰＧＷ７１８との間の通信を、ノードを通してトンネルすることができる。ＳＧＷ７０４およびＰＧＷ７０６は、同様に、ＵＥ１１０とＭＭＥ７１４との間の通信をトンネルすることができる。ＰＧＷ７１８は、同様に、ＵＥ１１０を認証／認可するＰＣＲＦ７０８と通信することができ、これは、ＩＭＳ７１０と通信することができる。加えて、ＰＧＷ７１８は、ＩＭＳ７１０および／またはインターネット７１２と直接通信することができる。
【００６３】
例では、説明したように、ＵＥ１１０は、Ｅ−ＵＴＲＡ−Ｕｕインターフェースのような、１つ以上の無線プロトコルインターフェースを通して、中継器ｅＮＢ１０４と通信することができ、中継器ｅＮＢ１０４は、Ｅ−ＵＴＲＡ−Ｕｎまたは他のインターフェースのような、１つ以上の無線プロトコルインターフェースを使用して、ドナーｅＮＢ１０２と通信することができる。説明したように、中継器ｅＮＢ１０４は、ＳＧＷ７０４ならびに／あるいはＰＧＷ７０６に関連するＵＤＰ／ＩＰヘッダおよび／またはＧＴＰヘッダを、ＵＥ１１０から受信したパケットに追加することができ、ドナーｅＮＢ１０２にパケットを転送することができる。示しているように、ドナーｅＮＢ１０２は、Ｓ１−ＭＭＥインターフェースを使用して、ＭＭＥ７０２と通信し、Ｓ１−Ｕインターフェースを通して、ＳＧＷ７０４およびＰＧＷ７０６と通信する。例えば、ドナーｅＮＢ１０２は、同様に、ＵＤＰ／ＩＰヘッダおよび／またはＧＴＰヘッダをパケットに追加し、ＭＭＥ７０２またはＳＧＷ７０４に転送することができる。
【００６４】
ＳＧＷ７０４および／またはＰＧＷ７０６は、ＵＤＰ／ＩＰヘッダおよび／またはＧＴＰヘッダを利用して、コアネットワーク内でパケットをルーティングすることができる。例えば、説明したように、ＳＧＷ７０４および／またはＰＧＷ７０６は、パケットを受信し、ＳＧＷ７０４および／またはＰＧＷ７０６に関連する、外側のＵＤＰ／ＩＰヘッダおよび／またはＧＴＰヘッダを除去することができる。ＳＧＷ７０４および／またはＰＧＷ７０６は、次のＵＤＰ／ＩＰヘッダおよび／またはＧＴＰヘッダを処理して、パケットを受信する次のノードを決定することができ、これは、ＵＥ１１０に関連する、ＳＧＷ７１６および／またはＰＧＷ７１８となることがある。同様に、ＳＧＷ７１６および／またはＰＧＷ７１８は、ＵＥに関連するダウンリンクパケットを取得することができ、ＵＥ１１０に提供するためのパケットを中継器ｅＮＢ１０４に通信することに関連するＵＤＰ／ＩＰヘッダおよび／またはＧＴＰヘッダを含めることができる。ＳＧＷ７１６および／またはＰＧＷ７１８は、中継器ｅＮＢ１０４に関連する、ＳＧＷ７０４および／またはＰＧＷ７０６にパケットを転送することができる。ＳＧＷ７０４および／またはＰＧＷ７０６はさらに、ドナーｅＮＢ１０２に関連する付加的なＵＤＰ／ＩＰヘッダおよび／またはＧＴＰヘッダをパケット中に含めることができる。
【００６５】
さらに、ＳＧＷ７０４および／またはＰＧＷ７０６は、ドナーｅＮＢ１０２にパケットを通信するためのＧＴＰトンネルを選択することができる。説明したように、これは、ＳＧＷ７１６および／またはＰＧＷ７１８から受信したＵＤＰ／ＩＰヘッダおよび／またはＧＴＰヘッダ中の情報に、ならびに／あるいは、これらに類するものに基づくことができる。ＳＧＷ７０４および／またはＰＧＷ７０６は、（例えば、ＳＧＷ７０４および／またはＰＧＷ７０６により含められたＧＴＰヘッダ中に、１つ以上のパラメータを含めることにより、）トンネルを通してドナーｅＮＢ１０２にパケットを通信することができる。ドナーｅＮＢ１０２は、ＳＧＷ７０４および／またはＰＧＷ７０６により含められた、外側のＧＴＰヘッダおよび／またはＵＤＰ／ＩＰヘッダを除去することができ、パケットを受信する次のノードを決定することができる。したがって、ドナーｅＮＢ１０２は、ＧＴＰトンネルに関連する無線ベアラを通して、中継器ｅＮＢ１０４に対してパケットを送信することができる。中継器ｅＮＢ１０４は、同様に、次のＵＤＰ／ＩＰヘッダ中またはＧＴＰヘッダ中の１つ以上のパラメータや、パケットを受信した無線ベアラ等に少なくとも部分的に基づいて、パケットを受信する次のノードおよび／またはパケットを送信するためのベアラを決定することができる。中継器ｅＮＢ１０４は、ＵＤＰ／ＩＰヘッダおよび／またはＧＴＰヘッダを除去することができ、ＵＥ１１０に対してパケットを送信することができる。
【００６６】
図８を参照すると、データ（例えば、ユーザ）プレーン通信に対してＩＰ中継器機能性を提供するために、ワイヤレスネットワーク中で通信することを促進する例示的なプロトコルスタック８００が示されている。Ｌ１レイヤ、ＭＡＣレイヤ、ＲＬＣレイヤ、ＰＤＣＰレイヤ、および、ＩＰレイヤを含むＵＥプロトコルスタック８０２が示されている。Ｌ１レイヤ、ＭＡＣレイヤ、ＲＬＣレイヤ、および、ＰＤＣＰレイヤを有する中継器ｅＮＢ（ＲｅＮＢ）アクセスリンクプロトコルスタック８０４とともに、Ｌ１レイヤ、ＭＡＣレイヤ、ＲＬＣレイヤ、ＰＤＣＰレイヤ、ＩＰレイヤ、ＵＤＰレイヤ、および、ＧＴＰ−Ｕレイヤを有するＲｅＮＢバックホールリンクプロトコルスタック８０６が示されている。Ｌ１レイヤ、ＭＡＣレイヤ、ＲＬＣレイヤ、および、ＰＤＣＰレイヤを有するドナーｅＮＢ（ＤｅＮＢ）アクセスリンクプロトコルスタック８０８とともに、Ｌ１レイヤ、Ｌ２レイヤ、ＵＤＰ／ＩＰレイヤ、および、ＧＴＰ−Ｕを有するＤｅＮＢバックホールリンクプロトコルスタック８１０もまた示されている。加えて、Ｌ１レイヤ、Ｌ２レイヤ、ＵＤＰ／ＩＰレイヤ、ＧＴＰ−Ｕレイヤ、および、ＩＰレイヤを有するＲｅＮＢ ＰＧＷ／ＳＧＷアクセスリンクプロトコルスタック８１２とともに、Ｌ１レイヤ、Ｌ２レイヤ、および、ＩＰレイヤを含むＲｅＮＢ ＰＧＷ／ＳＧＷバックホールリンクプロトコルスタック８１４が示されている。さらに、Ｌ１レイヤ、Ｌ２レイヤ、ＲｅＮＢ ＰＧＷ／ＳＧＷに関連するＩＰレイヤ、ＵＤＰレイヤ、ＧＴＰ−Ｕレイヤ、および、ＵＥに関連するＩＰレイヤを有するＵＥ ＰＧＷ／ＳＧＷプロトコルスタック８１６が示されている。
【００６７】
アップリンク通信の例にしたがうと、ＵＥは、ＵＥ ＰＧＷ／ＳＧＷへのＩＰ通信のために、ＲｅＮＢと通信することができる。この点で、ＵＥは、プロトコルスタック８０２とプロトコルスタック８０４との間で示されているように、（例えば、ＥＵＴＲＡ−Ｕｕインターフェースを使用して、）Ｌ１レイヤ、ＭＡＣレイヤ、ＲＬＣレイヤ、および、ＰＤＣＰレイヤを通して、ＲｅＮＢと通信することができる。ＵＥは、プロトコルスタック８０２とプロトコルスタック８１６との間で示されているように、ＲｅＮＢおよび他のエンティティを通して、ＵＥ ＰＧＷ／ＳＧＷにＩＰレイヤ通信をトンネルすることができ、ＵＥ ＰＧＷ／ＳＧＷは、ＵＥにＩＰアドレスを割り当てる。このようなトンネリングを促進するために、ＲｅＮＢは、プロトコルスタック８０６とプロトコルスタック８１２との間で示されているように、バックホールリンク上で、１つ以上の他のノードを通して、ＲｅＮＢ ＰＧＷ／ＳＧＷにアクセスリンクパケットを通信するために、ＩＰヘッダを挿入することができる。加えて、ＲｅＮＢは、トンネリングを促進するために、プロトコルスタック８０６とプロトコルスタック８１６との間で示されているように、ＵＥ ＰＧＷ／ＳＧＷに関連するＧＴＰ−ＵヘッダおよびＵＤＰヘッダを挿入することができる。
【００６８】
さらに、ＲｅＮＢは、プロトコルスタック８０６とプロトコルスタック８０８との間で示されているように、（例えば、ＥＵＴＲＡ−Ｕｎインターフェースを使用して、）Ｌ１レイヤ、ＭＡＣレイヤ、ＲＬＣレイヤ、および、ＰＤＣＰレイヤを通して、ＤｅＮＢと通信することができる。ＤｅＮＢは、無線通信を促進する、ＰＤＣＰレイヤ、ＲＬＣレイヤ、および、ＭＡＣレイヤを除去することができ、後続して、プロトコルスタック８１０とプロトコルスタック８１２との間で示されているように、Ｌ１レイヤ、Ｌ２レイヤ、ＵＤＰ／ＩＰレイヤ、および、ＧＴＰ−Ｕレイヤを通して、ＲｅＮＢ ＰＧＷ／ＳＧＷと通信することができる。この点で、ＤｅＮＢは、ＲｅＮＢのＧＴＰ−Ｕレイヤ、ＵＤＰレイヤ、および、ＩＰレイヤをトンネルするために、ＲｅＮＢ ＰＧＷ／ＳＧＷに関連するＧＴＰ−ＵレイヤおよびＵＤＰ／ＩＰレイヤを加えることができる。説明したように、ＲｅＮＢ ＰＧＷ／ＳＧＷは、ＧＴＰ−ＵレイヤおよびＵＤＰ／ＩＰレイヤを除去することができ、後続して、ＵＥからのＩＰ通信をトンネルするために、Ｌ１レイヤ、Ｌ２レイヤ、および、ＩＰレイヤを通してＵＥ ＰＧＷ／ＳＧＷと通信することができる。したがって、説明したように、ＲｏＨＣを利用して、ＲｅＮＢとＤｅＮＢとの間の複数のＩＰヘッダおよび／またはＧＴＰヘッダを圧縮することができる。類似する手順を利用して、ＵＥ ＰＧＷ／ＳＧＷからＵＥにダウンリンクパケットをトンネルすることができることを正しく認識すべきである。
【００６９】
図９〜図１２を参照すると、ＩＰ中継器通信に対するパケットヘッダを圧縮することに関連する方法論が示されている。説明を簡単にする目的のために、一連のアクトとして方法論を示し、説明しているが、いくつかのアクトは、１つ以上の態様にしたがって、ここで示し説明しているのとは異なる順序でおよび／または他のアクトと並行して起こるかもしれないので、方法論は、アクトの順序によって限定されないことを理解し、正しく認識すべきである。例えば、当業者は、代替的に、状態ダイヤグラムにおけるもののような、一連の相互に関係のある状態またはイベントとして、方法論を表すことができることを理解し、正しく認識するだろう。さらに、示しているすべてのアクトが、１つ以上の態様にしたがって、方法論を実現する必要はないかもしれない。
【００７０】
図９を見ると、ＲｏＨＣコンテキストにしたがって、受信したパケットのヘッダを伸張することを促進する例示的な方法論９００が示されている。９０２において、無線ベアラを通して、ＲｏＨＣ圧縮されたヘッダを持つパケットを受信することができる。説明したように、例えば、ＲｏＨＣ圧縮されたヘッダは、パケットの複数のＩＰヘッダおよび少なくとも１つのＧＴＰヘッダの、圧縮されたバージョンを含むことができる。９０４において、ＲｏＨＣ圧縮されたヘッダに関連するＲｏＨＣコンテキストを決定することができる。例えば、これは、パケット中の（例えば、パケットのＲｏＨＣヘッダ中の）ＲｏＨＣコンテキスト識別子から決定することができる。９０６において、ＲｏＨＣコンテキストに少なくとも部分的に基づいて、ＲｏＨＣ圧縮されたヘッダを伸張することができる。説明したように、例えば、ＲｏＨＣコンテキストは、ＲｏＨＣ圧縮されたヘッダを、複数のＩＰヘッダおよび１つ以上のＧＴＰヘッダに伸張するための命令および／またはパラメータを規定するＲｏＨＣプロファイルに関連することができる。
【００７１】
図１０を参照すると、ＩＰ中継器通信に対するパケットヘッダの圧縮を促進する例示的な方法論１０００が示されている。１００２において、無線ベアラを通して受信したパケットの、複数のＩＰヘッダおよび少なくとも１つのＧＴＰヘッダを圧縮することができる。例えば、関係付けられているＲｏＨＣプロファイルを有するＲｏＨＣコンテキストにしたがって、ヘッダを圧縮することができる。１００４において、ＲｏＨＣコンテキストに関連する識別子をパケット中で示すことができる。例えば、識別子は、ＲｏＨＣヘッダの一部とすることができる。１００６において、異なる無線ベアラを通してパケットを送信することができる。したがって、受信エンティティは、効率的な通信を促進するために、ＲｏＨＣコンテキストにしたがって、ヘッダを伸張することができる。
【００７２】
図１１を見ると、トンネリングプロトコル中に、パケットまたはヘッダをカプセル化することを促進する例示的な方法論１１００が示されている。１１０２において、ＵＥベアラに対して送信するためのＩＰパケットをコアネットワークから受信することができる。例えば、ＩＰパケットは、ＵＥベアラに少なくとも部分的に関連する識別子を指定するＧＴＰヘッダを含むことができる。１１０４において、ＩＰヘッダおよび／またはパケットを、ＵＥベアラに関連する識別子を含むトンネリングプロトコルヘッダ中にカプセル化することができる。説明するように、ＩＰヘッダがＲｏＨＣ圧縮されている場合に、識別子を利用して、ヘッダを伸張するためのＲｏＨＣコンテキストを決定することができる。例えば、トンネリングプロトコルヘッダは、圧縮されたＧＴＰ−Ｕヘッダまたは圧縮されていないＧＴＰ−Ｕヘッダ、ならびに／あるいは、これらに類するものとすることができ、識別子は、ＴＥＩＤまたはその一部分等とすることができる。１１０６において、トンネリングプロトコルヘッダタイプを、パケットのＰＤＣＰ部分中で示すことができる。この点で、受信ノードは、カプセル化されたパケットタイプを決定して、ＩＰパケットおよびヘッダを取り出すことができる。１１０８において、ＵＥへの通信パス中の１つ以上の中継器ノードに対して、パケットを送信することができる。説明するように、１つ以上のパケットヘッダ中のＩＰアドレスから、（例えば、１つの例では、ルーティングテーブル中で示されているような、）トンネリングプロトコルヘッダ中の識別子から、および／または、これらに類するものから、１つ以上の中継器ノードを決定することができる。
【００７３】
図１２を参照すると、カプセル化されたパケットからＩＰパケットおよびヘッダを取得することを促進する例示的な方法論１２００が示されている。１２０２において、トンネリングプロトコルヘッダ中にカプセル化されているパケットを受信することができる。１２０４において、パケットのＰＤＣＰ部分中のインジケータから、トンネリングプロトコルヘッダのタイプを決定することができる。例えば、インジケータは、圧縮されたＧＴＰ−Ｕ、ＩＰ、または、類似するタイプを指定することができる。１２０６において、タイプに基づいて、パケットから、ＩＰパケットおよびヘッダを取り出すことができる。例えば、説明したように、ヘッダは、ＲｏＨＣ圧縮されたヘッダとすることができる。
【００７４】
ここで説明した１つ以上の態様にしたがって、ＲｏＨＣコンテキストおよび／または関連する識別子を決定すること、ＲｏＨＣコンテキストをＴＥＩＤに関係付けること、ならびに／あるいは、ここで説明した他の態様に関する、推測を行うことができることが正しく認識されるだろう。ここで使用するような、“推測する”または“推測”という用語は、一般的に、イベントおよび／またはデータを通して捕捉されるような１組の観測から、システム、環境、および／または、ユーザの状態について推理するあるいは推測するプロセスのことを指す。推測は、特定の状況またはアクションを識別するために用いることができ、あるいは、例えば、状態に対する確率分布を発生させることができる。推測は、確率論的なものである−すなわち、データおよびイベントの考察に基づいての、対象の状態に対する確率分布の計算とすることができる。推測はまた、１組のイベントおよび／またはデータから、より高いレベルのイベントを構成するために用いられる技法のことを指すこともある。このような推測は、イベントが時間的に近いところで相関しているか否かにかかわらず、ならびに、イベントおよびデータが、１つまたはいくつかの、イベントならびにデータソースから到来したか否かにかかわらず、結果として、１組の観測されたイベントおよび／または記憶されたイベントデータからの、新しいイベントまたはアクションの構築になる。
【００７５】
ここで図１３を参照すると、ここで提示されているさまざまな実施形態にしたがった、ワイヤレス通信システム１３００が示されている。システム１３００は、複数のアンテナグループを含むことができる基地局１３０２を含んでいる。例えば、１つのアンテナグループは、アンテナ１３０４およびアンテナ１３０６を含むことができ、別のグループは、アンテナ１３０８およびアンテナ１３１０を含むことができ、さらに他のグループは、アンテナ１３１２およびアンテナ１３１４を含むことができる。各アンテナグループに対して２つのアンテナが示されている；しかしながら、各アンテナグループに対して、より多いまたはより少ないアンテナを利用することができる。基地局１３０２は、さらに、送信機チェーンと受信機チェーンとを具備し、そのそれぞれは、当業者により正しく認識されるように、さらに、信号の送受信に関係する複数のコンポーネント（例えば、プロセッサ、変調器、マルチプレクサ、復調器、デマルチプレクサ、アンテナ等）を備えることができる。
【００７６】
基地局１３０２は、移動体デバイス１３１６および移動体デバイス１３２２のような、１つ以上の移動体デバイスと通信することができる；しかしながら、基地局１３０２は、移動体デバイス１３１６と移動体デバイス１３２２とに類似する、実質的に任意の数の移動体デバイスと通信できることを正しく認識すべきである。移動体デバイス１３１６と移動体デバイス１３２２は、例えば、セルラ電話機や、スマートフォンや、ラップトップや、ハンドヘルド通信デバイスや、ハンドヘルドコンピューティングデバイスや、衛星ラジオや、グローバルポジショニングシステムや、ＰＤＡや、および／または、ワイヤレス通信システム１３００を通して通信する他の何らかの適切なデバイスとすることができる。示されているように、移動体デバイス１３１６は、アンテナ１３１２およびアンテナ１３１４と通信し、ここで、アンテナ１３１２およびアンテナ１３１４は、フォワードリンク１３１８を通して移動体デバイス１３１６に情報を送信し、リバースリンク１３２０を通して移動体デバイス１３１６から情報を受信する。さらに、移動体デバイス１３２２は、アンテナ１３０４およびアンテナ１３０６と通信し、ここで、アンテナ１３０４およびアンテナ１３０６は、フォワードリンク１３２４を通して移動体デバイス１３２２に情報を送信し、リバースリンク１３２６を通して移動体デバイス１３２２から情報を受信する。周波数分割デュプレックス（ＦＤＤ）システムにおいて、例えば、フォワードリンク１３１８は、リバースリンク１３２０により使用されるものとは異なる周波数帯域を利用することができ、フォワードリンク１３２４は、リバースリンク１３２６により用いられるものとは異なる周波数帯域を用いることができる。さらに、時分割デュプレックス（ＴＤＤ）システムにおいて、フォワードリンク１３１８およびリバースリンク１３２０は、共通の周波数帯域を利用することができ、フォワードリンク１３２４およびリバースリンク１３２６は、共通の周波数帯域を利用することができる。
【００７７】
各アンテナのグループをおよび／または各アンテナのグループが通信するように指定されているエリアを、基地局１３０２のセクターとして呼ぶことがある。例えば、アンテナグループは、基地局１３０２によりカバーされているエリアのセクター中で、移動体デバイスに通信するように設計することができる。フォワードリンク１３１８およびフォワードリンク１３２４を通しての通信では、基地局１３０２の送信アンテナは、移動体デバイス１３１６と移動体デバイス１３２２とに対するフォワードリンク１３１８およびフォワードリンク１３２４の信号対ノイズ比を改善するために、ビームフォーミングを利用することができる。また、基地局１３０２がビームフォーミングを利用して、関係するカバレッジエリア中にランダムに散らばっている移動体デバイス１３１６および移動体デバイス１３２２に送信している間、単一のアンテナを通して、基地局が、そのすべての移動体デバイスに送信するのと比較すると、隣接するセル中の移動体デバイスは、受ける干渉が少なくなる。さらに、移動体デバイス１３１６および移動体デバイス１３２２は、（示していない）ピア・ツー・ピアまたはアドホックの技術を使用して、互いに直接通信することができる。
【００７８】
例にしたがうと、システム１３００は、複数入力複数出力（ＭＩＭＯ）通信システムとすることができる。さらに、システム１３００は、ＦＤＤ、ＦＤＭ、ＴＤＤ、ＴＤＭ、ＣＤＭ、および、これらに類するもののような、実質的に任意のタイプのデュプレックス技法を利用して、通信チャネル（例えば、フォワードリンク、リバースリンク、．．．）を分割することができる。加えて、チャネルを通して複数のデバイスとの同時通信が可能になるように、通信チャネルを直交させることができる；１つの例では、この点で、ＯＦＤＭを利用することができる。したがって、時間の期間にわたって、チャネルを周波数の部分に分割することができる。加えて、時間期間の集合にわたる周波数の一部分として、フレームを規定することができる；したがって、例えば、フレームは、多数のＯＦＤＭシンボルを含むことがある。基地局１３０２は、チャネルを通して、移動体デバイス１３１６および移動体デバイス１３２２に通信することができ、チャネルは、さまざまなタイプのデータに対して生成させることができる。例えば、さまざまなタイプの、一般的な通信データ、制御データ（例えば、他のチャネルに関する品質情報、チャネルを通して受信したデータに対する肯定応答インジケータ、干渉情報、基準信号等）、および／または、これらに類するものを通信するために、チャネルを生成させることができる。
【００７９】
図１４は、例示的なワイヤレス通信システム１４００を示している。ワイヤレス通信システム１４００は、簡潔さのために、１つの基地局１４１０と１つの移動体デバイス１４５０とを示している。しかしながら、システム１４００は、１つより多い基地局および／または１つより多い移動体デバイスを含むことができ、ここで、付加的な基地局および／または付加的な移動体デバイスは、下記で説明する例示的な基地局１４１０および移動体デバイス１４５０と、実質的に、類似していることがあり、あるいは、異なっていることがあることを正しく認識すべきである。加えて、基地局１４１０および／または移動体デバイス１４５０は、それらの間でのワイヤレス通信を促進するために、ここで説明した、システム（図１〜７および図１３）や、プロトコルスタック（図８）や、ならびに／あるいは、方法（図９〜図１２）を用いることができることを正しく認識すべきである。
【００８０】
基地局１４１０において、多数のデータストリームに対するトラフィックデータが、データソース１４１２から送信（ＴＸ）データプロセッサ１４１４に提供される。例にしたがうと、各データストリームは、それぞれのアンテナを通して送信することができる。ＴＸデータプロセッサ１４１４は、そのデータストリームに対して選択された特定のコーディングスキームに基づいて、トラフィックデータストリームをフォーマットし、コード化し、および、インターリーブし、コード化されたデータを提供する。
【００８１】
各データストリームに対するコード化されたデータは、直交周波数分割多重化（ＯＦＤＭ）技術を使用して、パイロットデータと多重化することができる。付加的にあるいは代替的に、パイロットシンボルは、周波数分割多重化（ＦＤＭ）でき、時分割多重化（ＴＤＭ）でき、または、コード分割多重化（ＣＤＭ）できる。パイロットデータは、典型的に、既知の方法で処理される既知のデータパターンであり、チャネル応答を推定するために、移動体デバイス１４５０において使用することができる。各データストリームに対する多重化されたパイロットおよびコード化データは、そのデータストリームに対して選択された特定の変調スキーム（例えば、二位相偏移変調（ＢＰＳＫ）、四位相偏移変調（ＱＰＳＫ）、Ｍ位相偏移変調（Ｍ−ＰＳＫ）、または、Ｍ直角位相振幅変調（Ｍ−ＱＡＭ）等）に基づいて、変調（例えば、シンボルマッピング）し、変調シンボルを提供することができる。各データストリームに対する、データレート、コーディング、および、変調は、プロセッサ１４３０により実行または提供される命令により決定することができる。
【００８２】
データストリームに対する変調シンボルは、ＴＸ ＭＩＭＯプロセッサ１４２０に提供することができ、ＴＸ ＭＩＭＯプロセッサ１４２０は、（例えば、ＯＦＤＭのために）変調シンボルをさらに処理することができる。ＴＸ ＭＩＭＯプロセッサ１４２０は、その後、ＮＴ個の変調シンボルストリームをＮＴ台の送信機（ＴＭＴＲ）１４２２ａないし１４２２ｔに提供する。さまざまな態様では、ＴＸ ＭＩＭＯプロセッサ１４２０は、データストリームのシンボルと、そこからシンボルが送信されるアンテナとに対して、ビームフォーミングの重みを適用する。
【００８３】
各送信機１４２２は、それぞれのシンボルストリームを受け取って処理し、１つ以上のアナログ信号を提供し、さらに、アナログ信号を調整して（例えば、増幅して、フィルタリングして、および、アップコンバートして）、ＭＩＭＯチャネルを通しての送信に適した変調された信号を提供する。さらに、送信機１４２２ａないし１４２２ｔからのＮＴ個の変調信号は、ＮＴ本のアンテナ１４２４ａないし１４２４ｔから、それぞれ送信される。
【００８４】
移動体デバイス１４５０において、ＮR本のアンテナ１４５２ａないし１４５２ｒにより、送信変調信号を受信し、各アンテナ１４５２から受信した信号は、それぞれの受信機（ＲＣＶＲ）１４５４ａないし１４５４ｒに提供される。各受信機１４５４は、それぞれの信号を調整し（例えば、フィルタリングし、増幅し、および、ダウンコンバートし）、調整した信号をデジタル化して、サンプルを提供し、さらに、サンプルを処理して、対応する“受信した”シンボルストリームを提供する。
【００８５】
ＲＸデータプロセッサ１４６０は、特定の受信機処理技術に基づいて、ＮR台の受信機１４５４からＮR個の受信したシンボルストリームを受け取って処理し、ＮT個の“検出した”シンボルストリームを提供することができる。ＲＸデータプロセッサ１４６０は、各検出したシンボルストリームを復調し、デインターリーブし、および、デコードし、データストリームに対するトラフィックデータを復元することができる。ＲＸデータプロセッサ１４６０による処理は、基地局１４１０における、ＴＸ ＭＩＭＯプロセッサ１４２０とＴＸデータプロセッサ１４１４とにより実行される処理と相補的である。
【００８６】
上記で論じたように、プロセッサ１４７０は、どのプリコーディング行列を利用するかを周期的に決定することができる。さらに、プロセッサ１４７０は、行列インデックス部分とランク値部分とを含むリバースリンクメッセージを構築することができる。
【００８７】
リバースリンクメッセージは、通信リンクにおよび／または受信したデータストリームに関する、さまざまなタイプの情報を含むことができる。リバースリンクメッセージは、データソース１４３６から多数のデータストリームに対するトラフィックデータも受信するＴＸデータプロセッサ１４３８により処理し、変調器１４８０により変調し、送信機１４５４ａないし１４５４ｒにより調整し、基地局１４１０に返信することができる。
【００８８】
基地局１４１０において、移動体デバイス１４５０からの変調信号は、移動体デバイス１４５０により送信されたリバースリンクメッセージを抽出するために、アンテナ１４２４により受信され、受信機１４２２により調整され、復調器１４４０により復調され、ＲＸデータプロセッサ１４４２により処理される。さらに、プロセッサ１４３０は、抽出したメッセージを処理し、ビームフォーミングの重みを決定するために、どのプリコーディング行列を使用するかを決定することができる。
【００８９】
プロセッサ１４３０およびプロセッサ１４７０は、それぞれ、基地局１４１０における動作と移動体デバイス１４５０における動作とを命令する（例えば、制御する、調整する、管理する等）ことができる。それぞれのプロセッサ１４３０およびプロセッサ１４７０は、プログラムコードおよびデータを記憶するメモリ１４３２およびメモリ１４７２に関係付けることができる。プロセッサ１４３０およびプロセッサ１４７０は、アップリンクおよびダウンリンクに対する周波数応答推定とインパルス応答推定とをそれぞれ導出するための計算を実行することもできる。
【００９０】
図１５を参照すると、示されているのは、効率的なＩＰ中継器通信のために、パケットヘッダの伸張を促進するシステム１５００である。例えば、システム１５００は、基地局、移動体デバイス等の内に、少なくとも部分的に存在することができる。機能ブロックを含むものとしてシステム１５００が表されており、機能ブロックは、プロセッサにより、ソフトウェアにより、または、それらの組み合わせ（例えば、ファームウェア）により実現される機能を表す機能ブロックとすることができることを正しく認識すべきである。システム１５００は、ともに動作することができる電気コンポーネントの論理グルーピング１５０２を含んでいる。例えば、論理グルーピング１５０２は、ＲｏＨＣ圧縮されたヘッダを持つパケットを無線ベアラを通して受信する電気コンポーネント１５０４を含むことができる。付加的に、論理グルーピング１５０２は、ＲｏＨＣ圧縮されたヘッダに対するＲｏＨＣコンテキストを決定する電気コンポーネント１５０６を含むことができる。説明するように、パケットのＲｏＨＣヘッダ中の識別子から、ＲｏＨＣコンテキストを決定することができる。
【００９１】
さらに、論理グルーピング１５０２は、ＲｏＨＣコンテキストと、関連するＲｏＨＣプロファイルとに少なくとも部分的に基づいて、ＲｏＨＣ圧縮されたヘッダを伸張する電気コンポーネント１５０８を含むことができる。説明したように、例えば、ＲｏＨＣプロファイルは、ＲｏＨＣを使用して、パケットヘッダを圧縮／伸張するための１つ以上の命令またはパラメータを含むことができる。この例では、ＲｏＨＣプロファイルは、パケットの複数のＩＰヘッダおよび１つ以上のＧＴＰヘッダを圧縮および／または伸張することに関連することができる。加えて、論理グルーピング１５０２は、無線ベアラを確立する電気コンポーネント１５１０と、無線ベアラに関係するＲｏＨＣプロファイルを指定する電気コンポーネント１５１２とを含むことができる。説明するように、例えば、電気コンポーネント１５１２は、電気コンポーネント１５１０により確立されたベアラに対して利用可能なＲｏＨＣプロファイルのリスト中のＲｏＨＣプロファイルを指定することができる。付加的に、システム１５００は、電気コンポーネント１５０４、電気コンポーネント１５０６、電気コンポーネント１５０８、電気コンポーネント１５１０、および、電気コンポーネント１５１２に関係付けられている機能を実行するための命令を保持するメモリ１５１４を含むことができる。メモリ１５１４の外部にあるものとして示されているが、電気コンポーネント１５０４、電気コンポーネント１５０６、電気コンポーネント１５０８、電気コンポーネント１５１０、および、電気コンポーネント１５１２のうちの１つ以上が、メモリ１５１４内に存在することができることを理解すべきである。
【００９２】
図１６を参照すると、示されているのは、効率的なＩＰ中継器通信のためのパケットヘッダの圧縮を促進するシステム１６００である。例えば、システム１６００は、基地局、移動体デバイス等の内に、少なくとも部分的に存在することができる。機能ブロックを含むものとしてシステム１６００が表されており、機能ブロックは、プロセッサにより、ソフトウェアにより、または、それらの組み合わせ（例えば、ファームウェア）により実現される機能を表す機能ブロックとすることができることを正しく認識すべきである。システム１６００は、ともに動作することができる電気コンポーネントの論理グルーピング１６０２を含んでいる。例えば、論理グルーピング１６０２は、ＲｏＨＣコンテキストに関連するＲｏＨＣプロファイルに少なくとも部分的に基づいて、ベアラを通して受信したパケットの、複数のＩＰヘッダおよび少なくとも１つのＧＴＰヘッダを圧縮する電気コンポーネント１６０４を含むことができる。説明したように、ＲｏＨＣプロファイルは、圧縮を実行するための命令、パラメータ等を指定することができる。付加的に、論理グルーピング１６０２は、パケット中のＲｏＨＣコンテキストに関連する識別子を示す電気コンポーネント１６０６を含むことができる。１つの例では、電気コンポーネント１６０６は、パケットのＲｏＨＣヘッダ中にＲｏＨＣコンテキスト識別子を格納することにより、ＲｏＨＣコンテキストを示すことができる。
【００９３】
さらに、論理グルーピング１６０２は、異なる無線ベアラを通してパケットを送信する電気コンポーネント１６０８を含むことができる。例では、パケットとともにヘッダを送信することができ、１つ以上のトンネリングプロトコルを使用して、ヘッダをトンネルすることができ、および／または、これらに類することができる。加えて、論理グルーピング１６０２は、トンネリングプロトコル中にパケットをカプセル化する電気コンポーネント１６１０を含むことができる。例えば、これは、トンネリングプロトコルヘッダをパケットに関係付けることを含むことができる。加えて、電気コンポーネント１６１０は、トンネルを通してのパケットのルーティングを促進するために、トンネリングプロトコルヘッダ中にトンネリングプロトコルヘッダ識別子を挿入することができる。さらに、論理グルーピング１６０２は、パケットに関連するＥＰＳベアラに少なくとも部分的に基づいて、パケットに対するＲｏＨＣコンテキストを選択する電気コンポーネント１６１２を含むことができる。したがって、例えば、ＥＰＳベアラからのパケットをルーティングするために利用されることになると知られているヘッダに少なくとも部分的に基づいて、それにしたがって、ＲｏＨＣコンテキストを選択することができる。付加的に、システム１６００は、電気コンポーネント１６０４、電気コンポーネント１６０６、電気コンポーネント１６０８、電気コンポーネント１６１０、および、電気コンポーネント１６１２に関係付けられている機能を実行するための命令を保持するメモリ１６１４を含むことができる。メモリ１６１４の外部にあるものとして示されているが、電気コンポーネント１６０４、電気コンポーネント１６０６、電気コンポーネント１６０８、電気コンポーネント１６１０、および、電気コンポーネント１６１２のうちの１つ以上が、メモリ１６１４内に存在することができることを理解すべきである。
【００９４】
ここで開示した実施形態に関連して説明した、さまざまな例示的な論理、論理的ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラムマブル論理デバイス、ディスクリートゲートまたはトランジスタ論理、ディスクリートハードウェアコンポーネント、あるいは、ここで説明した機能を実施するために設計されたこれらの任意の組み合わせで、実現されるか、あるいは、実行されてもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。さらに、少なくとも１つのプロセッサは、上記で説明したステップおよび／またはアクションのうちの１つ以上を実行するように動作可能である１つ以上のモジュールを含んでいてもよい。
【００９５】
さらに、ここで開示した態様に関連して説明した方法あるいはアルゴリズムのステップおよび／またはアクションは、直接、ハードウェアで、プロセッサにより実行されるソフトウェアモジュールで、あるいは、２つの組み合わせで具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されてもよい。代替実施形態では、記憶媒体はプロセッサと一体化されてもよい。さらに、いくつかの態様では、プロセッサおよび記憶媒体は、ＡＳＩＣに存在してもよい。付加的に、ＡＳＩＣはユーザ端末に存在してもよい。代替実施形態では、プロセッサおよび記憶媒体は、ユーザ端末中のディスクリートコンポーネントとして存在してもよい。付加的に、いくつかの態様では、方法あるいはアルゴリズムのステップおよび／またはアクションは、コードおよび／または命令の１つあるいはいくつかの組み合わせとして、もしくは、１組またはいくつかの組のコードおよび／または命令として、機械読取可能媒体上にならびに／あるいはコンピュータ読取可能媒体上に、存在してもよく、機械読取可能媒体にならびに／あるいはコンピュータ読取可能媒体は、コンピュータプログラムプロダクト中に一体化していてもよい。
【００９６】
１つ以上の態様において、説明した機能は、ハードウェアで、ソフトウェアで、ファームウェアで、または、これらのものを組み合わせた任意のもので実現してもよい。ソフトウェアで実現された場合、機能、手順等は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝えるまたは記憶するために使用できる他の何らかの媒体を含むことができる。また、あらゆる接続は、コンピュータ読取可能媒体と呼ぶことがある。例えば、ソフトウェアが、同軸ケーブルや、光ファイバケーブルや、撚り対や、デジタル加入者線（ＤＳＬ）や、あるいは、赤外線、無線、および、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００９７】
先の開示は、例示的な態様および／または実施形態を論じているが、添付した特許請求の範囲により規定されているような、説明した態様および／または実施形態の範囲から逸脱することなく、さまざまな変更および改良をここでは行うことができることに留意すべきである。さらに、説明した態様および／または実施形態のエレメントは、単数で説明またはクレームされているが、単数への限定が明示的に述べられていない限り、複数が企図されている。付加的に、そうではないと述べられていない限り、何らかの態様および／または実施形態のすべてあるいは一部分を、他の何らかの態様および／または実施形態のすべてあるいは一部分とともに利用することができる。さらに、「含む」という文言が詳細な説明または特許請求の範囲のいずれかで使用される限り、このような文言は、請求項中で移行語として用いられるときに「具備する」が解釈されるように、文言「具備する」に類似した方法で包括的であることが意図されている。さらに、説明した態様のエレメントおよび／または態様は、単数で説明またはクレームされているが、単数への限定が明示的に述べられていない限り、複数が企図されている。付加的に、そうではないと述べられていない限り、何らかの態様および／または実施形態のすべてあるいは一部分を、他の何らかの態様および／または実施形態のすべてあるいは一部分とともに利用することができる。
以下に、本願出願の当初の特許請求の範囲に記載された発明を付記する。
［１］方法において、
ロバストヘッダ圧縮（ＲｏＨＣ）で圧縮されたヘッダを持つパケットを、無線ベアラを通して受信することと、
前記ＲｏＨＣ圧縮されたヘッダに関連するＲｏＨＣコンテキストを決定することと、
前記ＲｏＨＣコンテキストに少なくとも部分的に基づいて、前記ＲｏＨＣ圧縮されたヘッダを伸張することとを含み、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとを圧縮または伸張するためのＲｏＨＣプロファイルに対応している方法。
［２］前記ＲｏＨＣコンテキストを決定することは、前記パケットのＲｏＨＣヘッダからＲｏＨＣコンテキスト識別子を取得することを含む上記［１］に記載の方法。
［３］前記パケットをルーティングするための識別子をトンネリングプロトコルヘッダから取得することをさらに含み、前記パケットまたは前記ＲｏＨＣ圧縮されたヘッダは、前記トンネリングプロトコルヘッダ中にカプセル化されている上記［１］に記載の方法。
［４］前記ＲｏＨＣコンテキストを決定することは、前記識別子に少なくとも部分的に基づいて、前記ＲｏＨＣコンテキストを決定することを含む上記［３］に記載の方法。
［５］前記トンネリングプロトコルヘッダは、ＧＴＰ−Ｕヘッダであり、前記識別子は、トンネルエンドポイント識別子（ＴＥＩＤ）である上記［４］に記載の方法。
［６］エボルブドノードＢ（ｅＮＢ）と前記無線ベアラを確立する間に、前記ＲｏＨＣプロファイルを通信することをさらに含む上記［１］に記載の方法。
［７］ワイヤレス通信装置において、
ロバストヘッダ圧縮（ＲｏＨＣ）で圧縮されたヘッダを持つパケットを、無線ベアラを通して取得するようにと、
前記ＲｏＨＣ圧縮されたヘッダの圧縮のために使用されたＲｏＨＣコンテキストを見分けるようにと、
前記ＲｏＨＣコンテキストにしたがって、前記ＲｏＨＣ圧縮されたヘッダを伸張するように構成されている少なくとも１つのプロセッサと、
前記少なくとも１つのプロセッサに結合されているメモリとを具備し、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられているワイヤレス通信装置。
［８］前記少なくとも１つのプロセッサは、前記ＲｏＨＣ圧縮されたヘッダを持つパケットのヘッダ中のＲｏＨＣコンテキスト識別子に少なくとも部分的に基づいて、前記ＲｏＨＣコンテキストを見分ける上記［７］に記載のワイヤレス通信装置。
［９］前記少なくとも１つのプロセッサは、前記パケットまたは前記ＲｏＨＣ圧縮されたヘッダがその内にカプセル化されているトンネリングプロトコルヘッダから、対応するユーザ機器（ＵＥ）ベアラに関連する少なくとも一部分を有する識別子を抽出するようにさらに構成されている上記［７］に記載のワイヤレス通信装置。
［１０］前記少なくとも１つのプロセッサは、前記識別子に少なくとも部分的に基づいて、前記ＲｏＨＣコンテキストを見分ける上記［９］に記載のワイヤレス通信装置。
［１１］前記トンネリングプロトコルヘッダは、ＧＴＰ−Ｕであり、前記識別子は、トンネルエンドポイント識別子（ＴＥＩＤ）である上記［１０］に記載のワイヤレス通信装置。
［１２］前記少なくとも１つのプロセッサは、前記無線ベアラの確立の際に、エボルブドノードＢ（ｅＮＢ）と前記ＲｏＨＣプロファイルを通信するようにさらに構成されている上記［７］に記載のワイヤレス通信装置。
［１３］装置において、
ロバストヘッダ圧縮（ＲｏＨＣ）で圧縮されたヘッダを持つパケットを、無線ベアラを通して受信する手段と、
複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられている、前記ＲｏＨＣ圧縮されたヘッダに対するＲｏＨＣコンテキストを決定する手段と、
前記ＲｏＨＣコンテキストと、前記ＲｏＨＣプロファイルとに少なくとも部分的に基づいて、前記ＲｏＨＣ圧縮されたヘッダを伸張する手段とを具備する装置。
［１４］前記ＲｏＨＣコンテキストを決定する手段は、前記パケットのＲｏＨＣヘッダ中のＲｏＨＣコンテキスト識別子に少なくとも部分的に基づいて、前記ＲｏＨＣコンテキストを決定する上記［１３］に記載の装置。
［１５］エボルブドノードＢ（ｅＮＢ）と前記無線ベアラを確立する手段と、
前記無線ベアラに関係付けられている前記ＲｏＨＣプロファイルを指定する手段とをさらに具備する上記［１３］に記載の装置。
［１６］コンピュータプログラムプロダクトにおいて、
少なくとも１つのコンピュータに、ロバストヘッダ圧縮（ＲｏＨＣ）で圧縮されたヘッダを持つパケットを、無線ベアラを通して受信させるためのコードと、
前記少なくとも１つのコンピュータに、前記ＲｏＨＣ圧縮されたヘッダに対するＲｏＨＣコンテキストを決定させるためのコードと、
前記少なくとも１つのコンピュータに、前記ＲｏＨＣコンテキストに少なくとも部分的に基づいて、前記ＲｏＨＣ圧縮されたヘッダを伸張させるためのコードとを含むコンピュータ読取可能媒体を具備し、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられているコンピュータプログラムプロダクト。
［１７］前記少なくとも１つのコンピュータに、前記ＲｏＨＣコンテキストを決定させるためのコードは、前記パケットのＲｏＨＣヘッダからＲｏＨＣコンテキスト識別子を取得する上記［１６］に記載のコンピュータプログラムプロダクト。
［１８］前記コンピュータ読取可能媒体は、前記少なくとも１つのコンピュータに、トンネリングプロトコルヘッダから識別子を取得させるためのコードをさらに含み、前記パケットは、トンネリングプロトコルヘッダ中にカプセル化されている上記［１６］に記載のコンピュータプログラムプロダクト。
［１９］前記少なくとも１つのコンピュータに、前記ＲｏＨＣコンテキストを決定させるためのコードは、前記識別子に少なくとも部分的に基づいて、前記ＲｏＨＣコンテキストを決定する上記［１８］に記載のコンピュータプログラムプロダクト。
［２０］前記トンネリングプロトコルヘッダは、ＧＴＰ−Ｕヘッダであり、前記識別子は、トンネルエンドポイント識別子（ＴＥＩＤ）である上記［１９］に記載のコンピュータプログラムプロダクト。
［２１］前記コンピュータ読取可能媒体は、前記少なくとも１つのコンピュータに、前記無線ベアラの確立の際に、エボルブドノードＢ（ｅＮＢ）と前記ＲｏＨＣプロファイルを通信させるためのコードをさらに含む上記［１６］に記載のコンピュータプログラムプロダクト。
［２２］装置において、
ロバストヘッダ圧縮（ＲｏＨＣ）で圧縮されたヘッダを持つパケットを、無線ベアラを通して受信するベアラ通信コンポーネントと、
前記ＲｏＨＣ圧縮されたヘッダに対するＲｏＨＣコンテキストを見分けるＲｏＨＣコンテキスト決定コンポーネントと、
前記ＲｏＨＣコンテキストに少なくとも部分的に基づいて、前記ＲｏＨＣ圧縮されたヘッダを伸張するＲｏＨＣ伸張コンポーネントとを具備し、
前記ＲｏＨＣコンテキストは、複数のインターネットプロトコル（ＩＰ）ヘッダと、少なくとも１つの汎用パケット無線サービス（ＧＰＲＳ）トンネリングプロトコル（ＧＴＰ）ヘッダとに関連するＲｏＨＣプロファイルに関係付けられている装置。
［２３］前記ＲｏＨＣコンテキスト決定コンポーネントは、前記パケットのＲｏＨＣヘッダ中のＲｏＨＣコンテキスト識別子に少なくとも部分的に基づいて、前記ＲｏＨＣコンテキストを見分ける上記［２２］に記載の装置。
［２４］エボルブドノードＢ（ｅＮＢ）との無線ベアラを初期化するベアラ確立要求コンポーネントと、
前記無線ベアラに関係付けられている前記ＲｏＨＣプロファイルを指定するＲｏＨＣプロファイル関係付けコンポーネントとをさらに具備する上記［２２］に記載の装置。
［２５］方法において、
無線ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルにしたがって、圧縮することと、
前記パケット中の前記ＲｏＨＣコンテキストに関連する識別子を示すことと、
異なる無線ベアラを通して前記パケットを送信することとを含む方法。
［２６］トンネリングプロトコル中に前記パケットをカプセル化することをさらに含み、前記識別子を示すことは、前記トンネリングプロトコルのヘッダ中の前記識別子を指定することを含む上記［２５］に記載の方法。
［２７］前記トンネリングプロトコルは、ＧＴＰ−Ｕであり、前記識別子は、トンネルエンドポイント識別子（ＴＥＩＤ）である上記［２６］に記載の方法。
［２８］前記パケットに関連するエボルブドパケットシステム（ＥＰＳ）ベアラに少なくとも部分的に基づいて、前記パケットに対する前記ＲｏＨＣコンテキストを選択することをさらに含む上記［２５］に記載の方法。
［２９］ワイヤレス通信装置において、
無線ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルにしたがって、圧縮するようにと、
前記パケット中の前記ＲｏＨＣコンテキストに関連する識別子を指定するようにと、
異なる無線ベアラを通して前記パケットを通信するように構成されている少なくとも１つのプロセッサと、
前記少なくとも１つのプロセッサに結合されているメモリとを具備するワイヤレス通信装置。
［３０］前記少なくとも１つのプロセッサは、トンネリングプロトコル中に前記パケットをカプセル化するようにさらに構成され、前記識別子を示すことは、前記トンネリングプロトコルのヘッダ中の前記識別子を指定することを含む上記［２９］に記載のワイヤレス通信装置。
［３１］前記トンネリングプロトコルは、ＧＴＰ−Ｕであり、前記識別子は、トンネルエンドポイント識別子（ＴＥＩＤ）である上記［３０］に記載のワイヤレス通信装置。
［３２］前記少なくとも１つのプロセッサは、前記パケットに関連するエボルブドパケットシステム（ＥＰＳ）ベアラに少なくとも部分的に基づいて、前記パケットに対する前記ＲｏＨＣコンテキストを選択するようにさらに構成されている上記［２９］に記載のワイヤレス通信装置。
［３３］装置において、
ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルに少なくとも部分的に基づいて、圧縮する手段と、
前記パケット中の前記ＲｏＨＣコンテキストに関連する識別子を示す手段と、
異なる無線ベアラを通して前記パケットを送信する手段とを具備する装置。
［３４］トンネリングプロトコル中に前記パケットをカプセル化する手段をさらに具備し、前記識別子を示す手段は、前記トンネリングプロトコルのヘッダ中の前記識別子を指定する上記［３３］に記載の装置。
［３５］前記パケットに関連するエボルブドパケットシステム（ＥＰＳ）ベアラに少なくとも部分的に基づいて、前記パケットに対する前記ＲｏＨＣコンテキストを選択する手段をさらに具備する上記［３３］に記載の装置。
［３６］コンピュータプログラムプロダクトにおいて、
少なくとも１つのコンピュータに、無線ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルにしたがって、圧縮させるためのコードと、
前記少なくとも１つのコンピュータに、前記パケット中の前記ＲｏＨＣコンテキストに関連する識別子を指定させるためのコードと、
前記少なくとも１つのコンピュータに、異なる無線ベアラを通して前記パケットを通信させるためのコードとを含むコンピュータ読取可能媒体を具備するコンピュータプログラムプロダクト。
［３７］前記コンピュータ読取可能媒体は、前記少なくとも１つのコンピュータに、トンネリングプロトコル中に前記パケットをカプセル化させるためのコードをさらに含み、前記少なくとも１つのコンピュータに、前記識別子を示させるためのコードは、前記トンネリングプロトコルのヘッダ中の前記識別子を指定する上記［３６］に記載のコンピュータプログラムプロダクト。
［３８］前記トンネリングプロトコルは、ＧＴＰ−Ｕであり、前記識別子は、トンネルエンドポイント識別子（ＴＥＩＤ）である上記［３７］に記載のコンピュータプログラムプロダクト。
［３９］前記コンピュータ読取可能媒体は、前記少なくとも１つのコンピュータに、前記パケットに関連するエボルブドパケットシステム（ＥＰＳ）ベアラに少なくとも部分的に基づいて、前記パケットに対する前記ＲｏＨＣコンテキストを選択させるためのコードをさらに含む上記［３６］に記載のコンピュータプログラムプロダクト。
［４０］装置において、
ベアラを通して受信したパケットの、複数のインターネットプロトコル（ＩＰ）ヘッダと、少なくとも１つの汎用パケット無線サービス（ＧＰＲＳ）トンネリングプロトコル（ＧＴＰ）ヘッダとを、ロバストヘッダ圧縮（ＲｏＨＣ）コンテキストに関連するＲｏＨＣプロファイルに少なくとも部分的に基づいて、圧縮するＲｏＨＣ圧縮コンポーネントと、
前記パケット中の前記ＲｏＨＣコンテキストに関連する識別子を指定するＲｏＨＣコンテキスト表示コンポーネントと、
異なる無線ベアラを通して前記パケットを送信するベアラ通信コンポーネントとを具備する装置。
［４１］トンネリングプロトコルに前記パケットを関係付けるパケットカプセル化コンポーネントをさらに具備し、前記ＲｏＨＣコンテキスト表示コンポーネントは、前記トンネリングプロトコルのヘッダ中の前記識別子を指定する上記［４０］に記載の装置。
［４２］前記パケットに関連するエボルブドパケットシステム（ＥＰＳ）ベアラに少なくとも部分的に基づいて、前記パケットに前記ＲｏＨＣコンテキストを関係付けるＲｏＨＣコンテキスト選択コンポーネントをさらに具備する上記［４０］に記載の装置。
【図１】
0005307290.tif 000003
【図２】
0005307290.tif 000004
【図３】
0005307290.tif 000005
【図４】
0005307290.tif 000006
【図５】
0005307290.tif 000007
【図６】
0005307290.tif 000008
【図７】
0005307290.tif 000009
【図８】
0005307290.tif 000010
【図９】
0005307290.tif 000011
【図１０】
0005307290.tif 000012
【図１１】
0005307290.tif 000013
【図１２】
0005307290.tif 000014
【図１３】
0005307290.tif 000015
【図１４】
0005307290.tif 000016
【図１５】
0005307290.tif 000017
【図１６】
0005307290.tif 000018